(57)【要約】  本開示の態様は、一般にワイヤレス通信に関する。いくつかの態様では、デバイスは、電力節約機構が無効化される第１の時間期間の間に、ユーザ機器（ＵＥ）上で実行しているアプリケーションに関連付けられた第１の性能パラメータを決定し得る。デバイスは、電力節約機構が有効化される第２の時間期間の間に、ＵＥ上で実行しているアプリケーションに関連付けられた第２の性能パラメータを決定し得る。デバイスは、第１の性能パラメータと第２の性能パラメータとに少なくとも部分的に基づいて、アプリケーションに対して電力節約機構を有効化するか無効化するかを決定し得る。
2018520603.tif 000002
【特許請求の範囲】
【請求項１】
ワイヤレス通信のための方法であって、
ユーザ機器（ＵＥ）によって、および電力節約機構が無効化される第１の時間期間の間に、前記ＵＥ上で実行しているアプリケーションに関連付けられた第１の性能パラメータを決定することと、
前記ＵＥによって、および前記電力節約機構が有効化される第２の時間期間の間に、前記ＵＥ上で実行している前記アプリケーションに関連付けられた第２の性能パラメータを決定することと、
前記ＵＥによって、前記第１の性能パラメータと前記第２の性能パラメータとに少なくとも部分的に基づいて、前記アプリケーションに対して前記電力節約機構を有効化するか無効化するかを決定することと
を備える方法。
【請求項２】
前記電力節約機構を有効化するか無効化するかを決定することが、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記ＵＥによって、前記アプリケーションに対して前記電力節約機構を有効化するか無効化するかを決定することに少なくとも部分的に基づいて、前記アプリケーションに対して前記電力節約機構を有効化または無効化することと
を備える、請求項１に記載の方法。
【請求項３】
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、請求項１に記載の方法。
【請求項４】
前記第１の性能パラメータを決定すること、または前記第２の性能パラメータを決定することが、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を備える、請求項１に記載の方法。
【請求項５】
前記第１の性能パラメータまたは前記第２の性能パラメータが、重み値を使用して修正される、請求項１に記載の方法。
【請求項６】
前記第１の時間期間および前記第２の時間期間が、その間にユーザが前記ＵＥをアクティブに使用中ではない時間期間である、請求項１に記載の方法。
【請求項７】
前記第１の性能パラメータを決定すること、および前記第２の性能パラメータを決定することが、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を備える、請求項１に記載の方法。
【請求項８】
前記第１の性能パラメータを決定すること、および前記第２の性能パラメータを決定することが、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を備える、請求項１に記載の方法。
【請求項９】
前記アプリケーションが第１のアプリケーションであり、
ここにおいて、前記電力節約機構が、第３の時間期間の間に、前記第１のアプリケーションに対して有効化され、
ここにおいて、前記電力節約機構が、前記第３の時間期間の間に、第２のアプリケーションに対して無効化される、請求項１に記載の方法。
【請求項１０】
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
をさらに備える、請求項１に記載の方法。
【請求項１１】
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
をさらに備える、請求項１に記載の方法。
【請求項１２】
前記第１の時間期間および前記第２の時間期間が、その間にユーザが前記ＵＥをアクティブに使用中ではない少なくとも１つの学習時間期間を含み、ここにおいて、前記少なくとも１つの学習時間期間が、マージン時間期間の満了後に開始し、ここにおいて、前記マージン時間期間が、前記ユーザが前記ＵＥをアクティブに使用中ではないことを検出した後、開始し、ここにおいて、前記少なくとも１つの学習時間期間の持続時間が、しきい値を満たし、前記方法が、
前記アプリケーションが前記少なくとも１つの学習時間期間の間に実行中であるか否かを周期的に決定すること
をさらに備える、請求項１に記載の方法。
【請求項１３】
前記アプリケーションが、前記第１の時間期間および前記第２の時間期間の間に実行中である、請求項１に記載の方法。
【請求項１４】
前記第１の性能パラメータを決定すること、または前記第２の性能パラメータを決定することが、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を備える、請求項１に記載の方法。
【請求項１５】
ワイヤレス通信のためのユーザ機器（ＵＥ）であって、
命令を記憶するように構成されたメモリと、
前記メモリに通信可能に結合された１つまたは複数のプロセッサと、ここにおいて、前記１つまたは複数のプロセッサが、
電力節約機構が無効化される第１の時間期間の間に、前記ＵＥ上で実行しているアプリケーションに関連付けられた第１の性能パラメータを決定することと、
前記電力節約機構が有効化される第２の時間期間の間に、前記ＵＥ上で実行している前記アプリケーションに関連付けられた第２の性能パラメータを決定することと、
前記第１の性能パラメータと前記第２の性能パラメータとに少なくとも部分的に基づいて、前記アプリケーションに対して前記電力節約機構を有効化するか無効化するかを決定することと
を行うために、前記命令を実行するように構成される、
を備えるＵＥ。
【請求項１６】
前記１つまたは複数のプロセッサが、前記電力節約機構を有効化するか無効化するかを決定するとき、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記アプリケーションに対して前記電力節約機構を有効化するか無効化するかを決定することに少なくとも部分的に基づいて、前記アプリケーションに対して前記電力節約機構を有効化または無効化することと
を行うことになる、請求項１５に記載のＵＥ。
【請求項１７】
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、請求項１５に記載のＵＥ。
【請求項１８】
前記１つまたは複数のプロセッサが、前記第１の性能パラメータを決定するか、または前記第２の性能パラメータを決定するとき、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を行うことになる、請求項１５に記載のＵＥ。
【請求項１９】
前記第１の性能パラメータまたは前記第２の性能パラメータが、重み値を使用して修正される、請求項１５に記載のＵＥ。
【請求項２０】
前記第１の時間期間および前記第２の時間期間が、その間にユーザが前記ＵＥをアクティブに使用中ではない時間期間である、請求項１５に記載のＵＥ。
【請求項２１】
前記１つまたは複数のプロセッサが、前記第１の性能パラメータを決定し、前記第２の性能パラメータを決定するとき、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を行うことになる、請求項１５に記載のＵＥ。
【請求項２２】
前記１つまたは複数のプロセッサが、前記第１の性能パラメータを決定し、前記第２の性能パラメータを決定するとき、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を行うことになる、請求項１５に記載のＵＥ。
【請求項２３】
前記アプリケーションが第１のアプリケーションであり、
ここにおいて、前記電力節約機構が、第３の時間期間の間に、前記第１のアプリケーションに対して有効化され、
ここにおいて、前記電力節約機構が、前記第３の時間期間の間に、第２のアプリケーションに対して無効化される、請求項１５に記載のＵＥ。
【請求項２４】
前記１つまたは複数のプロセッサが、
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
を行うことになる、請求項１５に記載のＵＥ。
【請求項２５】
前記１つまたは複数のプロセッサが、
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
を行うことになる、請求項１５に記載のＵＥ。
【請求項２６】
前記第１の時間期間および前記第２の時間期間が、その間にユーザが前記ＵＥをアクティブに使用中ではない少なくとも１つの学習時間期間を含み、ここにおいて、前記少なくとも１つの学習時間期間が、マージン時間期間の満了後に開始し、ここにおいて、前記マージン時間期間が、前記ユーザが前記ＵＥをアクティブに使用中ではないことを検出した後、開始し、ここにおいて、前記少なくとも１つの学習時間期間の持続時間が、しきい値を満たし、およびここにおいて、前記１つまたは複数のプロセッサが、
前記アプリケーションが前記少なくとも１つの学習時間期間の間に実行中であるか否かを周期的に決定すること
を行うことになる、請求項１５に記載のＵＥ。
【請求項２７】
前記アプリケーションが、前記第１の時間期間および前記第２の時間期間の間に実行中である、請求項１５に記載のＵＥ。
【請求項２８】
前記１つまたは複数のプロセッサが、前記第１の性能パラメータを決定するか、または前記第２の性能パラメータを決定するとき、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、
前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を行うことになる、請求項１５に記載のＵＥ。
【請求項２９】
ワイヤレス通信のためのコンピュータ実行可能コードを記憶するコンピュータ可読媒体であって、
電力節約機構が無効化される第１の時間期間の間に、前記ＵＥ上で実行しているアプリケーションに関連付けられた第１の性能パラメータを決定するためのコードと、
前記電力節約機構が有効化される第２の時間期間の間に、前記ＵＥ上で実行している前記アプリケーションに関連付けられた第２の性能パラメータを決定するためのコードと、
前記第１の性能パラメータと前記第２の性能パラメータとに少なくとも部分的に基づいて、前記アプリケーションに対して前記電力節約機構を有効化するか無効化するかを決定するためのコードと
を備える、コンピュータ可読媒体。
【請求項３０】
ワイヤレス通信のための装置であって、
電力節約機構が無効化される第１の時間期間の間に、ユーザ機器（ＵＥ）上で実行しているアプリケーションに関連付けられた第１の性能パラメータを決定するための手段と、
前記電力節約機構が有効化される第２の時間期間の間に、前記ＵＥ上で実行している前記アプリケーションに関連付けられた第２の性能パラメータを決定するための手段と、
前記第１の性能パラメータと前記第２の性能パラメータとに少なくとも部分的に基づいて、前記アプリケーションに対して前記電力節約機構を有効化するか無効化するかを決定するための手段と
を備える、装置。
【発明の詳細な説明】
【技術分野】
【０００１】
関連出願の相互参照
[0001]  本特許出願は、本出願の譲受人に譲渡され、その全体が参照により本明細書に明確に組み込まれる、２０１６年６月１７日に出願された「ＴＥＣＨＮＩＱＵＥＳ  ＦＯＲ  ＤＹＮＡＭＩＣＡＬＬＹ  ＥＮＡＢＬＩＮＧ  ＯＲ  ＤＩＳＡＢＬＩＮＧ  Ａ  ＵＳＥＲ  ＥＱＵＩＰＭＥＮＴ  ＰＯＷＥＲ  ＳＡＶＩＮＧ  ＦＥＡＴＵＲＥ  ＢＡＳＥＤ  ＯＮ  ＡＰＰＬＩＣＡＴＩＯＮ  ＰＥＲＦＯＲ−ＭＡＮＣＥ」という名称の米国非仮出願第１５／１８６，２０９号、および、２０１５年７月１５日に出願された「ＴＥＣＨＮＩＱＵＥＳ  ＦＯＲ  ＤＹＮＡＭＩＣＡＬＬＹ  ＥＮＡＢＬＩＮＧ  ＯＲ  ＤＩＳＡＢＬＩＮＧ  Ａ  ＵＳＥＲ  ＥＱＵＩＰＭＥＮＴ  ＰＯＷＥＲ  ＳＡＶＩＮＧ  ＦＥＡＴＵＲＥ  ＢＡＳＥＤ  ＯＮ  ＡＰＰＬＩＣＡＴＩＯＮ  ＰＥＲＦＯＲ−ＭＡＮＣＥ」という名称の米国仮出願第６２／１９２，８８４号の優先権を主張する。
【０００２】
[0002]  本開示の態様は、一般にワイヤレス通信（wireless communication）に関し、より詳細には、アプリケーション性能（application performance）に基づいてユーザ機器電力節約機構（user equipment power saving feature）を動的に有効化（enable）または無効化する（disable）ための技法に関する。
【背景技術】
【０００３】
[0003]  ワイヤレス通信システム（wireless communication system）は、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力など）を共有することによって複数のユーザ（user）との通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格に対する拡張のセットである。ＬＴＥは、スペクトル効率を改善すること、コストを下げること、サービスを改善すること、新しいスペクトルを使用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格と統合することによって、モバイルブロードバンドインターネットアクセスをよりよくサポートするように設計されている。
【発明の概要】
【０００５】
[0005]  以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図されていない。その唯一の目的は、後に提示されるより詳細な説明の導入として、１つまたは複数の態様のいくつかの概念を簡略化された形で提示することである。
【０００６】
[0006]  一態様によれば、ワイヤレス通信のための方法は、ユーザ機器（ＵＥ：user equipment）によって、および電力節約機構が無効化される第１の時間期間（time period）の間に、ＵＥ上で実行しているアプリケーション（application）に関連付けられた第１の性能パラメータ（performance parameter）を決定することを含み得る。説明される態様は、ＵＥによって、および電力節約機構が有効化される第２の時間期間の間に、ＵＥ上で実行しているアプリケーションに関連付けられた第２の性能パラメータを決定することをさらに含む。説明される態様は、ＵＥによって、第１の性能パラメータと第２の性能パラメータとに少なくとも部分的に基づいて、アプリケーションに対して電力節約機構を有効化するか無効化するかを決定することをさらに含む。
【０００７】
[0007]  さらに、説明される態様は、ここにおいて、電力節約機構を有効化するか無効化するかを決定することが、第１の性能パラメータと第２の性能パラメータとを比較することと、第１の性能パラメータと第２の性能パラメータとを比較することに少なくとも部分的に基づいて、電力節約機構を有効化するか無効化するかを決定することと、ＵＥによって、アプリケーションに対して電力節約機構を有効化するか無効化するかを決定することに少なくとも部分的に基づいて、アプリケーションに対して電力節約機構を有効化または無効化することとを備える、を含む。説明される態様は、ここにおいて、第１の性能パラメータまたは第２の性能パラメータが、ＵＥがアイドルモード（idle mode）から出る回数（a number of times）、ＵＥが無線リソース制御（ＲＲＣ：radio resource control）接続モード（connected mode）に入る回数、受信されたメッセージの数（a number of messages received）、または、アプリケーションによってトリガされたＲＲＣ接続の数（a number of RRC connections triggered by the application）のうちの少なくとも１つを備える、をさらに含む。
【０００８】
[0008]  説明される態様は、ここにおいて、第１の性能パラメータを決定すること、または第２の性能パラメータを決定することが、第１の時間期間または第２の時間期間の持続時間（duration）が、しきい値（threshold）を満たすと決定することと、第１の時間期間または第２の時間期間の持続時間が、しきい値を満たすと決定することに少なくとも部分的に基づいて、第１の性能パラメータを決定すること、または第２の性能パラメータを決定することとを備える、をさらに含む。説明される態様は、ここにおいて、第１の性能パラメータまたは第２の性能パラメータが、重み値（weight value）を使用して修正される、をさらに含む。説明される態様は、ここにおいて、第１の時間期間および第２の時間期間が、その間にユーザがＵＥをアクティブに使用中ではない時間期間である、をさらに含む。
【０００９】
[0009]  説明される態様は、ここにおいて、第１の性能パラメータを決定すること、および第２の性能パラメータを決定することが、アプリケーションがＵＥ上でインストールまたは更新されたことを検出することと、アプリケーションがＵＥ上でインストールまたは更新されたことを検出することに少なくとも部分的に基づいて、第１の性能パラメータを決定すること、および第２の性能パラメータを決定することとを備える、をさらに含む。説明される態様は、ここにおいて、第１の性能パラメータを決定すること、および第２の性能パラメータを決定することが、電力節約機構を有効化するか無効化するかの以前の決定から、しきい値時間期間が経過したと決定することと、以前の決定から、しきい値時間期間が経過したと決定することに少なくとも部分的に基づいて、第１の性能パラメータを決定すること、および第２の性能パラメータを決定することとを備える、をさらに含む。
【００１０】
[0010]  説明される態様は、ここにおいて、アプリケーションが第１のアプリケーションであり、ここにおいて、電力節約機構が、第３の時間期間の間に、第１のアプリケーションに対して有効化され、ここにおいて、電力節約機構が、第３の時間期間の間に、第２のアプリケーションに対して無効化される、をさらに含む。説明される態様は、第１の時間において、アプリケーションに対して電力節約機構を無効化することと、アプリケーションに対して電力節約機構を無効化した後、アプリケーションに対して電力節約機構を有効化するか無効化するかを再評価する（re-evaluate）ように決定することと、電力節約機構が無効化される第３の時間期間の間に、アプリケーションに関連付けられた第３の性能パラメータを決定することと、電力節約機構が有効化される第４の時間期間の間に、アプリケーションに関連付けられた第４の性能パラメータを決定することと、再評価するように決定することに少なくとも部分的に基づいて、第３の性能パラメータと第４の性能パラメータとに少なくとも部分的に基づいて、第２の時間において、アプリケーションに対して電力節約機構を有効化するか無効化するかを決定することとをさらに含む。
【００１１】
[0011]  説明される態様は、第１の時間において、アプリケーションに対して電力節約機構を有効化することと、アプリケーションに対して電力節約機構を有効化した後、アプリケーションに対して電力節約機構を有効化するか無効化するかを再評価するように決定することと、電力節約機構が有効化される第３の時間期間の間に、アプリケーションに関連付けられた第３の性能パラメータを決定することと、第３の性能パラメータと第２の性能パラメータとを比較することと、再評価するように決定することに少なくとも部分的に基づいて、第３の性能パラメータと第２の性能パラメータとを比較することに少なくとも部分的に基づいて、第２の時間において、アプリケーションに対して電力節約機構を有効化するか無効化するかを決定することとをさらに含む。
【００１２】
[0012]  説明される態様は、ここにおいて、第１の時間期間および第２の時間期間が、その間にユーザがＵＥをアクティブに使用中ではない少なくとも１つの学習時間期間（learning time period）を含み、ここにおいて、少なくとも１つの学習時間期間が、マージン時間期間（margin time period）の満了後に開始し、ここにおいて、マージン時間期間が、ユーザがＵＥをアクティブに使用中ではないことを検出した後、開始し、ここにおいて、少なくとも１つの学習時間期間の持続時間が、しきい値を満たし、説明される態様が、アプリケーションが少なくとも１つの学習時間期間の間に実行中であるか否かを周期的に決定することをさらに備える、をさらに含む。説明される態様は、ここにおいて、アプリケーションが、第１の時間期間および第２の時間期間の間に実行中である、をさらに含む。
【００１３】
[0013]  説明される態様は、ここにおいて、第１の性能パラメータを決定すること、または第２の性能パラメータを決定することが、ユーザがＵＥをアクティブに使用中ではないと決定することと、アプリケーションが、しきい値時間量（threshold amount of time）の間にＵＥ上で実行中であったと決定することと、ユーザがＵＥをアクティブに使用中ではないと決定すること、および、アプリケーションがしきい値時間量の間にＵＥ上で実行中であったと決定することに少なくとも部分的に基づいて、第１の性能パラメータまたは第２の性能パラメータに関係する情報（information）について、ＵＥを監視することと、第１の性能パラメータまたは第２の性能パラメータに関係する情報について、ＵＥを監視することに少なくとも部分的に基づいて、第１の性能パラメータを決定すること、または第２の性能パラメータを決定することと、ユーザがＵＥをアクティブに使用中であること、またはアプリケーションがＵＥ上で実行することを停止したことを決定することと、ユーザがＵＥをアクティブに使用中であること、またはアプリケーションがＵＥ上で実行することを停止したことを決定することに少なくとも部分的に基づいて、第１の性能パラメータまたは第２の性能パラメータに関係する情報について、ＵＥの監視することを停止することとを備える、をさらに含む。説明される態様は、ここにおいて、第１の時間期間または第２の時間期間が、その間にユーザがＵＥをアクティブに使用中ではない、および、その間にアプリケーションがＵＥ上で実行中である、複数の時間期間を含む、をさらに含む。説明される態様は、ここにおいて、電力節約機構が、電力節約アプリケーション（power saving application）のモード（mode）である、をさらに含む。
【００１４】
[0014]  別の態様では、ワイヤレス通信のための装置は、命令（instruction）を記憶するように構成されたメモリと、メモリに通信可能に結合された１つまたは複数のプロセッサと、ここにおいて、１つまたは複数のプロセッサおよびメモリが、電力節約機構が無効化される第１の時間期間の間に、ＵＥ上で実行しているアプリケーションに関連付けられた第１の性能パラメータを決定することを行うように構成される、を含み得る。説明される態様は、電力節約機構が有効化される第２の時間期間の間に、ＵＥ上で実行しているアプリケーションに関連付けられた第２の性能パラメータを決定する。説明される態様は、第１の性能パラメータと第２の性能パラメータとに少なくとも部分的に基づいて、アプリケーションに対して電力節約機構を有効化するか無効化するかをさらに決定する。
【００１５】
[0015]  説明される態様はさらに、アプリケーションに対して電力節約機構を有効化するか無効化するかを決定することに少なくとも部分的に基づいて、アプリケーションに対して電力節約機構を有効化または無効化する。説明される態様はさらに、第１の性能パラメータと第２の性能パラメータとを比較し、第１の性能パラメータと第２の性能パラメータとを比較することに少なくとも部分的に基づいて、電力節約機構を有効化するか無効化するかを決定する。説明される態様は、ここにおいて、第１の性能パラメータまたは第２の性能パラメータが、ＵＥがアイドルモードから出る回数、ＵＥがＲＲＣ接続モードに入る回数、受信されたメッセージの数、または、アプリケーションによってトリガされたＲＲＣ接続の数のうちの少なくとも１つを備える、をさらに含む。
【００１６】
[0016]  説明される態様は、ここにおいて、１つまたは複数のプロセッサが、第１の性能パラメータを決定するか、または第２の性能パラメータを決定するとき、第１の時間期間または第２の時間期間の持続時間が、しきい値を満たすと決定することと、第１の時間期間または第２の時間期間の持続時間が、しきい値を満たすと決定することに少なくとも部分的に基づいて、第１の性能パラメータを決定すること、または第２の性能パラメータを決定することとを行うことになる、をさらに含む。説明される態様は、ここにおいて、第１の性能パラメータまたは第２の性能パラメータが、重み値を使用して修正される、をさらに含む。説明される態様は、ここにおいて、第１の時間期間および第２の時間期間が、その間にユーザがＵＥをアクティブに使用中ではない時間期間である、をさらに含む。
【００１７】
[0017]  説明される態様は、ここにおいて、１つまたは複数のプロセッサが、第１の性能パラメータを決定し、第２の性能パラメータを決定するとき、アプリケーションがＵＥ上でインストールまたは更新されたことを検出することと、アプリケーションがＵＥ上でインストールまたは更新されたことを検出することに少なくとも部分的に基づいて、第１の性能パラメータを決定すること、および第２の性能パラメータを決定することとを行うことになる、をさらに含む。説明される態様は、ここにおいて、１つまたは複数のプロセッサが、第１の性能パラメータを決定し、第２の性能パラメータを決定するとき、電力節約機構を有効化するか無効化するかの以前の決定から、しきい値時間期間が経過したと決定することと、以前の決定から、しきい値時間期間が経過したと決定することに少なくとも部分的に基づいて、第１の性能パラメータを決定すること、および第２の性能パラメータを決定することとを行うことになる、をさらに含む。
【００１８】
[0018]  説明される態様は、ここにおいて、アプリケーションが第１のアプリケーションであり、ここにおいて、電力節約機構が、第３の時間期間の間に、第１のアプリケーションに対して有効化され、ここにおいて、電力節約機構が、第３の時間期間の間に、第２のアプリケーションに対して無効化される、をさらに含む。説明される態様はさらに、第１の時間において、アプリケーションに対して電力節約機構を無効化し、アプリケーションに対して電力節約機構を無効化した後、アプリケーションに対して電力節約機構を有効化するか無効化するかを再評価するように決定し、電力節約機構が無効化される第３の時間期間の間に、アプリケーションに関連付けられた第３の性能パラメータを決定し、電力節約機構が有効化される第４の時間期間の間に、アプリケーションに関連付けられた第４の性能パラメータを決定し、再評価するように決定することに少なくとも部分的に基づいて、第３の性能パラメータと第４の性能パラメータとに少なくとも部分的に基づいて、第２の時間において、アプリケーションに対して電力節約機構を有効化するか無効化するかを決定する。
【００１９】
[0019]  説明される態様はさらに、第１の時間において、アプリケーションに対して電力節約機構を有効化し、アプリケーションに対して電力節約機構を有効化した後、アプリケーションに対して電力節約機構を有効化するか無効化するかを再評価するように決定し、電力節約機構が有効化される第３の時間期間の間に、アプリケーションに関連付けられた第３の性能パラメータを決定し、第３の性能パラメータと第２の性能パラメータとを比較し、再評価するように決定することに少なくとも部分的に基づいて、第３の性能パラメータと第２の性能パラメータとを比較することに少なくとも部分的に基づいて、第２の時間において、アプリケーションに対して電力節約機構を有効化するか無効化するかを決定する。説明される態様は、ここにおいて、第１の時間期間および第２の時間期間が、その間にユーザがＵＥをアクティブに使用中ではない少なくとも１つの学習時間期間を含む、をさらに含む。
【００２０】
[0020]  説明される態様は、ここにおいて、少なくとも１つの学習時間期間が、マージン時間期間の満了後に開始し、ここにおいて、マージン時間期間が、ユーザがＵＥをアクティブに使用中ではないことを検出した後、開始する、をさらに含む。説明される態様は、ここにおいて、少なくとも１つの学習時間期間の持続時間が、しきい値を満たす、をさらに含む。説明される態様はさらに、アプリケーションが少なくとも１つの学習時間期間の間に実行中であるか否かを周期的に決定する。説明される態様は、ここにおいて、アプリケーションが、第１の時間期間および第２の時間期間の間に実行中である、をさらに含む。説明される態様は、ここにおいて、第１の時間期間または第２の時間期間が、その間にユーザがＵＥをアクティブに使用中ではない、および、その間にアプリケーションがＵＥ上で実行中である、複数の時間期間を含む、をさらに含む。
【００２１】
[0021]  説明される態様は、ここにおいて、１つまたは複数のプロセッサが、第１の性能パラメータを決定するか、または第２の性能パラメータを決定するとき、ユーザがＵＥをアクティブに使用中ではないと決定することと、アプリケーションが、しきい値時間量の間にＵＥ上で実行中であったと決定することと、ユーザがＵＥをアクティブに使用中ではないと決定すること、および、アプリケーションがしきい値時間量の間にＵＥ上で実行中であったと決定することに少なくとも部分的に基づいて、第１の性能パラメータまたは第２の性能パラメータに関係する情報について、ＵＥを監視することと、第１の性能パラメータまたは第２の性能パラメータに関係する情報について、ＵＥを監視することに少なくとも部分的に基づいて、第１の性能パラメータを決定すること、または第２の性能パラメータを決定することとを行うことになる、をさらに含む。
【００２２】
[0022]  説明される態様はさらに、ユーザがＵＥをアクティブに使用中であること、またはアプリケーションがＵＥ上で実行することを停止したことを決定し、ユーザがＵＥをアクティブに使用中であること、またはアプリケーションがＵＥ上で実行することを停止したことを決定することに少なくとも部分的に基づいて、第１の性能パラメータまたは第２の性能パラメータに関係する情報について、ＵＥの監視することを停止する。説明される態様は、ここにおいて、電力節約機構が、電力節約アプリケーションのモードである、をさらに含む。
【００２３】
[0023]  別の態様では、コンピュータ可読媒体（computer-readable medium）は、ワイヤレス通信のためのコンピュータ実行可能コード（computer executable code）を記憶し得る。説明される態様は、電力節約機構が無効化される第１の時間期間の間に、ＵＥ上で実行しているアプリケーションに関連付けられた第１の性能パラメータを決定するためのコードを含む。説明される態様は、電力節約機構が有効化される第２の時間期間の間に、ＵＥ上で実行しているアプリケーションに関連付けられた第２の性能パラメータを決定するためのコードを含む。説明される態様は、第１の性能パラメータと第２の性能パラメータとに少なくとも部分的に基づいて、アプリケーションに対して電力節約機構を有効化するか無効化するかを決定するためのコードを含む。
【００２４】
[0024]  さらに、説明される態様は、ここにおいて、電力節約機構を有効化するか無効化するかを決定するためのコードが、第１の性能パラメータと第２の性能パラメータとを比較するためのコードと、第１の性能パラメータと第２の性能パラメータとを比較することに少なくとも部分的に基づいて、電力節約機構を有効化するか無効化するかを決定するためのコードと、ＵＥによって、アプリケーションに対して電力節約機構を有効化するか無効化するかを決定することに少なくとも部分的に基づいて、アプリケーションに対して電力節約機構を有効化または無効化するためのコードとを備える、を含む。説明される態様は、ここにおいて、第１の性能パラメータまたは第２の性能パラメータが、ＵＥがアイドルモードから出る回数、ＵＥがＲＲＣ接続モードに入る回数、受信されたメッセージの数、または、アプリケーションによってトリガされたＲＲＣ接続の数のうちの少なくとも１つを備える、をさらに含む。
【００２５】
[0025]  説明される態様は、ここにおいて、第１の性能パラメータを決定するか、または第２の性能パラメータを決定するためのコードが、第１の時間期間または第２の時間期間の持続時間が、しきい値を満たすと決定するためのコードと、第１の時間期間または第２の時間期間の持続時間が、しきい値を満たすと決定することに少なくとも部分的に基づいて、第１の性能パラメータを決定するか、または第２の性能パラメータを決定するためのコードとを備える、をさらに含む。説明される態様は、ここにおいて、第１の性能パラメータまたは第２の性能パラメータが、重み値を使用して修正される、をさらに含む。説明される態様は、ここにおいて、第１の時間期間および第２の時間期間が、その間にユーザがＵＥをアクティブに使用中ではない時間期間である、をさらに含む。
【００２６】
[0026]  説明される態様は、ここにおいて、第１の性能パラメータを決定するためのコード、および第２の性能パラメータを決定するためのコードが、アプリケーションがＵＥ上でインストールまたは更新されたことを検出するためのコードと、アプリケーションがＵＥ上でインストールまたは更新されたことを検出することに少なくとも部分的に基づいて、第１の性能パラメータを決定し、第２の性能パラメータを決定するためのコードとを備える、をさらに含む。説明される態様は、ここにおいて、第１の性能パラメータを決定するためのコード、および第２の性能パラメータを決定するためのコードが、電力節約機構を有効化するか無効化するかの以前の決定から、しきい値時間期間が経過したと決定するためのコードと、以前の決定から、しきい値時間期間が経過したと決定することに少なくとも部分的に基づいて、第１の性能パラメータを決定するためのコード、および第２の性能パラメータを決定するためのコードとを備える、をさらに含む。
【００２７】
[0027]  説明される態様は、ここにおいて、アプリケーションが第１のアプリケーションであり、ここにおいて、電力節約機構が、第３の時間期間の間に、第１のアプリケーションに対して有効化され、ここにおいて、電力節約機構が、第３の時間期間の間に、第２のアプリケーションに対して無効化される、をさらに含む。説明される態様は、第１の時間において、アプリケーションに対して電力節約機構を無効化するためのコードと、アプリケーションに対して電力節約機構を無効化した後、アプリケーションに対して電力節約機構を有効化するか無効化するかを再評価するように決定するためのコードと、電力節約機構が無効化される第３の時間期間の間に、アプリケーションに関連付けられた第３の性能パラメータを決定するためのコードと、電力節約機構が有効化される第４の時間期間の間に、アプリケーションに関連付けられた第４の性能パラメータを決定するためのコードと、再評価するように決定することに少なくとも部分的に基づいて、第３の性能パラメータと第４の性能パラメータとに少なくとも部分的に基づいて、第２の時間において、アプリケーションに対して電力節約機構を有効化するか無効化するかを決定するためのコードとをさらに含む。
【００２８】
[0028]  説明される態様は、第１の時間において、アプリケーションに対して電力節約機構を有効化するためのコードと、アプリケーションに対して電力節約機構を有効化した後、アプリケーションに対して電力節約機構を有効化するか無効化するかを再評価するように決定するためのコードと、電力節約機構が有効化される第３の時間期間の間に、アプリケーションに関連付けられた第３の性能パラメータを決定するためのコードと、第３の性能パラメータと第２の性能パラメータとを比較するためのコードと、再評価するように決定することに少なくとも部分的に基づいて、第３の性能パラメータと第２の性能パラメータとを比較することに少なくとも部分的に基づいて、第２の時間において、アプリケーションに対して電力節約機構を有効化するか無効化するかを決定するためのコードとをさらに含む。説明される態様は、ここにおいて、第１の時間期間および第２の時間期間が、その間にユーザがＵＥをアクティブに使用中ではない少なくとも１つの学習時間期間を含み、ここにおいて、少なくとも１つの学習時間期間が、マージン時間期間の満了後に開始し、ここにおいて、マージン時間期間が、ユーザがＵＥをアクティブに使用中ではないことを検出した後、開始し、ここにおいて、少なくとも１つの学習時間期間の持続時間が、しきい値を満たし、説明される態様が、アプリケーションが少なくとも１つの学習時間期間の間に実行中であるか否かを周期的に決定するためのコードをさらに備える、をさらに含む。
【００２９】
[0029]  説明される態様は、ここにおいて、アプリケーションが、第１の時間期間および第２の時間期間の間に実行中である、をさらに含む。説明される態様は、ここにおいて、第１の性能パラメータを決定するためのコード、または第２の性能パラメータを決定するためのコードが、ユーザがＵＥをアクティブに使用中ではないと決定するためのコードと、アプリケーションが、しきい値時間量の間にＵＥ上で実行中であったと決定するためのコードと、ユーザがＵＥをアクティブに使用中ではないと決定すること、および、アプリケーションがしきい値時間量の間にＵＥ上で実行中であったと決定することに少なくとも部分的に基づいて、第１の性能パラメータまたは第２の性能パラメータに関係する情報について、ＵＥを監視するためのコードと、第１の性能パラメータまたは第２の性能パラメータに関係する情報について、ＵＥを監視することに少なくとも部分的に基づいて、第１の性能パラメータを決定するか、または第２の性能パラメータを決定するためのコードと、ユーザがＵＥをアクティブに使用中であること、またはアプリケーションがＵＥ上で実行することを停止したことを決定するためのコードと、ユーザがＵＥをアクティブに使用中であること、またはアプリケーションがＵＥ上で実行することを停止したことを決定することに少なくとも部分的に基づいて、第１の性能パラメータまたは第２の性能パラメータに関係する情報について、ＵＥの監視することを停止するためのコードとを備える、をさらに含む。説明される態様は、ここにおいて、第１の時間期間または第２の時間期間が、その間にユーザがＵＥをアクティブに使用中ではない、および、その間にアプリケーションがＵＥ上で実行中である、複数の時間期間を含む、をさらに含む。説明される態様は、ここにおいて、電力節約機構が、電力節約アプリケーションのモードである、をさらに含む。
【００３０】
[0030]  別の態様では、ワイヤレス通信のための装置は、電力節約機構が無効化される第１の時間期間の間に、ＵＥ上で実行しているアプリケーションに関連付けられた第１の性能パラメータを決定するための手段を含み得る。説明される態様は、電力節約機構が有効化される第２の時間期間の間に、ＵＥ上で実行しているアプリケーションに関連付けられた第２の性能パラメータを決定するための手段を含む。説明される態様は、第１の性能パラメータと第２の性能パラメータとに少なくとも部分的に基づいて、アプリケーションに対して電力節約機構を有効化するか無効化するかを決定するための手段をさらに含む。説明される態様は、アプリケーションに対して電力節約機構を有効化するか無効化するかを決定することに少なくとも部分的に基づいて、アプリケーションに対して電力節約機構を有効化または無効化するための手段をさらに含む。
【００３１】
[0031]  さらに、説明される態様は、ここにおいて、電力節約機構を有効化するか無効化するかを決定するための手段が、第１の性能パラメータと第２の性能パラメータとを比較するための手段と、第１の性能パラメータと第２の性能パラメータとを比較することに少なくとも部分的に基づいて、電力節約機構を有効化するか無効化するかを決定するための手段と、ＵＥによって、アプリケーションに対して電力節約機構を有効化するか無効化するかを決定することに少なくとも部分的に基づいて、アプリケーションに対して電力節約機構を有効化または無効化するための手段とを備える、を含む。説明される態様は、ここにおいて、第１の性能パラメータまたは第２の性能パラメータが、ＵＥがアイドルモードから出る回数、ＵＥがＲＲＣ接続モードに入る回数、受信されたメッセージの数、または、アプリケーションによってトリガされたＲＲＣ接続の数のうちの少なくとも１つを備える、をさらに含む。
【００３２】
[0032]  説明される態様は、ここにおいて、第１の性能パラメータを決定するか、または第２の性能パラメータを決定するための手段が、第１の時間期間または第２の時間期間の持続時間が、しきい値を満たすと決定するための手段と、第１の時間期間または第２の時間期間の持続時間が、しきい値を満たすと決定することに少なくとも部分的に基づいて、第１の性能パラメータを決定するか、または第２の性能パラメータを決定するための手段とを備える、をさらに含む。説明される態様は、ここにおいて、第１の性能パラメータまたは第２の性能パラメータが、重み値を使用して修正される、をさらに含む。説明される態様は、ここにおいて、第１の時間期間および第２の時間期間が、その間にユーザがＵＥをアクティブに使用中ではない時間期間である、をさらに含む。
【００３３】
[0033]  説明される態様は、ここにおいて、第１の性能パラメータを決定するための手段、および第２の性能パラメータを決定するための手段が、アプリケーションがＵＥ上でインストールまたは更新されたことを検出するための手段と、アプリケーションがＵＥ上でインストールまたは更新されたことを検出することに少なくとも部分的に基づいて、第１の性能パラメータを決定し、第２の性能パラメータを決定するための手段とを備える、をさらに含む。説明される態様は、ここにおいて、第１の性能パラメータを決定するための手段、および第２の性能パラメータを決定するための手段が、電力節約機構を有効化するか無効化するかの以前の決定から、しきい値時間期間が経過したと決定するための手段と、以前の決定から、しきい値時間期間が経過したと決定することに少なくとも部分的に基づいて、第１の性能パラメータを決定するための手段、および第２の性能パラメータを決定するための手段とを備える、をさらに含む。
【００３４】
[0034]  説明される態様は、ここにおいて、アプリケーションが第１のアプリケーションであり、ここにおいて、電力節約機構が、第３の時間期間の間に、第１のアプリケーションに対して有効化され、ここにおいて、電力節約機構が、第３の時間期間の間に、第２のアプリケーションに対して無効化される、をさらに含む。説明される態様は、第１の時間において、アプリケーションに対して電力節約機構を無効化するための手段と、アプリケーションに対して電力節約機構を無効化した後、アプリケーションに対して電力節約機構を有効化するか無効化するかを再評価するように決定するための手段と、電力節約機構が無効化される第３の時間期間の間に、アプリケーションに関連付けられた第３の性能パラメータを決定するための手段と、電力節約機構が有効化される第４の時間期間の間に、アプリケーションに関連付けられた第４の性能パラメータを決定するための手段と、再評価するように決定することに少なくとも部分的に基づいて、第３の性能パラメータと第４の性能パラメータとに少なくとも部分的に基づいて、第２の時間において、アプリケーションに対して電力節約機構を有効化するか無効化するかを決定するための手段とをさらに含む。
【００３５】
[0035]  説明される態様は、第１の時間において、アプリケーションに対して電力節約機構を有効化するための手段と、アプリケーションに対して電力節約機構を有効化した後、アプリケーションに対して電力節約機構を有効化するか無効化するかを再評価するように決定するための手段と、電力節約機構が有効化される第３の時間期間の間に、アプリケーションに関連付けられた第３の性能パラメータを決定するための手段と、第３の性能パラメータと第２の性能パラメータとを比較するための手段と、再評価するように決定することに少なくとも部分的に基づいて、第３の性能パラメータと第２の性能パラメータとを比較することに少なくとも部分的に基づいて、第２の時間において、アプリケーションに対して電力節約機構を有効化するか無効化するかを決定するための手段とをさらに含む。説明される態様は、ここにおいて、第１の時間期間および第２の時間期間が、その間にユーザがＵＥをアクティブに使用中ではない少なくとも１つの学習時間期間を含み、ここにおいて、少なくとも１つの学習時間期間が、マージン時間期間の満了後に開始し、ここにおいて、マージン時間期間が、ユーザがＵＥをアクティブに使用中ではないことを検出した後、開始し、ここにおいて、少なくとも１つの学習時間期間の持続時間が、しきい値を満たし、説明される態様が、アプリケーションが少なくとも１つの学習時間期間の間に実行中であるか否かを周期的に決定するための手段をさらに備える、をさらに含む。
【００３６】
[0036]  説明される態様は、ここにおいて、アプリケーションが、第１の時間期間および第２の時間期間の間に実行中である、をさらに含む。説明される態様は、ここにおいて、第１の性能パラメータを決定するための手段、または第２の性能パラメータを決定するための手段が、ユーザがＵＥをアクティブに使用中ではないと決定するための手段と、アプリケーションが、しきい値時間量の間にＵＥ上で実行中であったと決定するための手段と、ユーザがＵＥをアクティブに使用中ではないと決定すること、および、アプリケーションがしきい値時間量の間にＵＥ上で実行中であったと決定することに少なくとも部分的に基づいて、第１の性能パラメータまたは第２の性能パラメータに関係する情報について、ＵＥを監視するための手段と、第１の性能パラメータまたは第２の性能パラメータに関係する情報について、ＵＥを監視することに少なくとも部分的に基づいて、第１の性能パラメータを決定するか、または第２の性能パラメータを決定するための手段と、ユーザがＵＥをアクティブに使用中であること、またはアプリケーションがＵＥ上で実行することを停止したことを決定するための手段と、ユーザがＵＥをアクティブに使用中であること、またはアプリケーションがＵＥ上で実行することを停止したことを決定することに少なくとも部分的に基づいて、第１の性能パラメータまたは第２の性能パラメータに関係する情報について、ＵＥの監視することを停止するための手段とを備える、をさらに含む。説明される態様は、ここにおいて、第１の時間期間または第２の時間期間が、その間にユーザがＵＥをアクティブに使用中ではない、および、その間にアプリケーションがＵＥ上で実行中である、複数の時間期間を含む、をさらに含む。説明される態様は、ここにおいて、電力節約機構が、電力節約アプリケーションのモードである、をさらに含む。
【００３７】
[0037]  本開示の様々な態様および特徴が、添付の図面に示されているそれらの様々な例を参照しながら以下でさらに詳細に説明される。本開示は、様々な例を参照しながら以下で説明されるが、本開示はそれに限定されないことを理解されたい。本明細書の教示へのアクセスを有する当業者は、追加の実装形態、変更形態、および例、ならびに本明細書で説明される本開示の範囲内に入り、それに関して本開示が著しく有用であり得る他の使用分野を認識されよう。
【００３８】
[0038]  本開示の上記で具陳された特徴が詳細に理解され得るように、添付の図面にその一部が示される態様を参照することによって、上記で手短に要約されたより具体的な説明が得られ得る。しかしながら、添付の図面は本開示の特定の典型的態様を図示したものにすぎず、したがって説明は他の等しく有効な態様を許容することができるため、本開示の範囲を制限するものとして見なされるべきではないことに留意されたい。異なる図面中の同じ参照番号は、同じまたは同様の要素を識別し得る。
【図面の簡単な説明】
【００３９】
【図１】[0039]  本開示の様々な態様による、例示的なワイヤレス通信システムの図。
【図２】[0040]  本開示の様々な態様による、ＬＴＥネットワークアーキテクチャにおける例示的なアクセスネットワークを示す図。
【図３】[0041]  本開示の様々な態様による、ＬＴＥにおけるダウンリンク（ＤＬ）フレーム構造の例を示す図。
【図４】[0042]  本開示の様々な態様による、ＬＴＥにおけるアップリンク（ＵＬ）フレーム構造の例を示す図。
【図５】[0043]  本開示の様々な態様による、ＬＴＥにおけるユーザプレーンおよび制御プレーンのための無線プロトコルアーキテクチャの例を示す図。
【図６】[0044]  本開示の様々な態様による、基地局とＵＥとを含む通信システムの例示的な構成要素を示す図。
【図７】[0045]  本開示の様々な態様による、電力節約機構を動的に有効化または無効化するように構成された電力節約構成要素（power saving component）を有するＵＥを含む、ワイヤレス通信システムの図。
【図８Ａ】[0046]  本開示の様々な態様による、アプリケーションに対して電力節約機構を有効化するか無効化するかを決定する例を示す図。
【図８Ｂ】[0047]  本開示の様々な態様による、アプリケーションに対して電力節約機構を有効化するか無効化するかを決定する例を示す図。
【図９Ａ】[0048]  本開示の様々な態様による、アプリケーションに対して電力節約機構を有効化するか無効化するかの評価と再評価とをトリガする例を示す図。
【図９Ｂ】[0049]  本開示の様々な態様による、アプリケーションに対して電力節約機構を有効化するか無効化するかの評価と再評価とをトリガする例を示す図。
【図９Ｃ】[0050]  本開示の様々な態様による、アプリケーションに対して電力節約機構を有効化するか無効化するかの評価と再評価とをトリガする例を示す図。
【図９Ｄ】[0051]  本開示の様々な態様による、アプリケーションに対して電力節約機構を有効化するか無効化するかを決定するために使用される、１つまたは複数のアプリケーションのリストの例を示す図。
【図１０】[0052]  本開示の様々な態様による、アプリケーションに対して電力節約機構を有効化するか無効化するかを決定することに関連付けられた性能パラメータに関する情報について、その間に監視するべき学習時間期間を決定する例を示す図。
【図１１】[0053]  本開示の様々な態様による、アプリケーションが実行中であるか否かを決定することに少なくとも部分的に基づいて、アプリケーションのための学習時間期間を決定する例を示す図。
【図１２】[0054]  本開示の様々な態様による、アプリケーションに対して電力節約機構を有効化するか無効化するかを決定するための例示的なプロセスのフロー図。
【図１３】[0055]  本開示の様々な態様による、電力節約機構がアプリケーションに対して無効化された後、アプリケーションに対して電力節約機構を有効化するか無効化するかを再評価するための例示的なプロセスのフロー図。
【図１４】[0056]  本開示の様々な態様による、電力節約機構がアプリケーションに対して有効化された後、アプリケーションに対して電力節約機構を有効化するか無効化するかを再評価するための例示的なプロセスのフロー図。
【図１５】[0057]  本開示の様々な態様による、電力節約構成要素を含む例示的な装置内の異なる手段／構成要素間のデータフローを示すフロー図。
【図１６】[0058]  本開示の様々な態様による、電力節約構成要素を含む処理システムを採用する装置のためのハードウェア実装形態の例を示す図。
【発明を実施するための形態】
【００４０】
[0059]  添付の図面に関して以下に記載される発明を実施するための形態は、様々な構成の説明として意図され、本明細書で説明される概念が実践され得る構成のみを表すように意図されない。発明を実施するための形態は、様々な概念の完全な理解を提供するための具体的な詳細を含む。しかしながら、これらの概念がこれらの具体的な詳細なしに実践され得ることが当業者に明らかであろう。
【００４１】
[0060]  ユーザ機器（ＵＥ）は、ＵＥの電力消費（power consumption）またはシグナリング（signaling）を低減するための１つまたは複数の電力節約機構とともに構成され得る。たとえば、ネットワークソケット要求マネージャ（ＮＳＲＭ：Network Socket Request Manager）などの電力節約機構は、ＵＥ上で実行している１つまたは複数のアプリケーションに関連付けられた複数の通信をグループ化し得る。電力節約機構は、各通信がトリガされるときに複数回、ＵＥを電源投入するのではなく、複数の通信を一緒に送るために、ＵＥを電源投入し得る（たとえば、不連続送信（ＤＴＸ）モードなど、アイドルモードから出ることができる）。これは、ＵＥのための電力節約機構の一例であり、他の電力節約機構がＵＥによって使用され得る。
【００４２】
[0061]  ＵＥ上で実行している異なるアプリケーションは、電力節約機構に関連して異なるように挙動し得る。場合によっては、アプリケーションに対して電力節約機構を有効化することは、アプリケーションに対して電力節約機構を無効化することと比較して、電力消費（power consumption）を増加させることがある。一例として、電力節約機構が通信をグループ化するとき、アプリケーションが通信をトリガするときと、通信が送信されるときとの間に遅延があり得る。この場合、アプリケーションは、通信がまだ送信されていないことを検出し得、追加の通信をトリガし得、それによって、追加の通信を送信するために必要とされる電力のために、アプリケーション性能を低減し、電力消費を増加させる。
【００４３】
[0062]  異なるアプリケーションは異なるように挙動するので、アプリケーションに対して電力節約機構を有効化することは、アプリケーションに対して電力節約機構を無効化することと比較して、電力消費を増加または減少させ得る。本明細書で説明される技法は、有効化および無効化された電力節約機構とともに、アプリケーションおよび／またはＵＥの性能を測定することに少なくとも部分的に基づいて、アプリケーションに対して電力節約機構を有効化するか無効化するかを動的に決定し得る。このようにして、ＵＥは、アプリケーションに対して電力節約機構を有効化するか無効化するかを構成し、それによって、アプリケーションおよびＵＥ性能を高め、アプリケーションおよびＵＥ電力消費を低減し得る。
【００４４】
[0063]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、または他のタイプのネットワークなど、様々なワイヤレス通信ネットワークのうちの１つまたは複数のために使用され得る。ＣＤＭＡネットワークは、ユニバーサル地上波無線アクセス（ＵＴＲＡ）、ＣＤＭＡ２０００などの無線アクセス技術（ＲＡＴ：radio access technology）を実装し得る。ＵＴＲＡは、広帯域ＣＤＭＡ（ＷＣＤＭＡ（登録商標））および／またはＣＤＭＡの他の変形態を含み得る。ＣＤＭＡ２０００は、Ｉｎｔｅｒｉｍ  Ｓｔａｎｄａｒｄ（ＩＳ）−２０００、ＩＳ−９５およびＩＳ−８５６規格を含み得る。ＩＳ−２０００は、１ｘ無線送信技術（１ｘＲＴＴ）、ＣＤＭＡ２０００  １Ｘなどと呼ばれることもある。ＴＤＭＡネットワークは、モバイル通信用グローバルシステム（ＧＳＭ（登録商標））、ＧＳＭ進化型高速データレート（ＥＤＧＥ）、またはＧＳＭ／ＥＤＧＥ無線アクセスネットワーク（ＧＥＲＡＮ）などのＲＡＴを実装し得る。ＯＦＤＭＡネットワークは、発展型ＵＴＲＡ（Ｅ−ＵＴＲＡ）、ウルトラモバイルブロードバンド（ＵＭＢ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどのＲＡＴを実装し得る。ＵＴＲＡおよびＥ−ＵＴＲＡは、ユニバーサルモバイルテレコミュニケーションシステム（ＵＭＴＳ）の一部であり得る。３ＧＰＰロングタームエボリューション（ＬＴＥ）およびＬＴＥ−Ａｄｖａｎｃｅｄ（ＬＴＥ−Ａ）は、ダウンリンク上ではＯＦＤＭＡを採用し、アップリンク上ではＳＣ−ＦＤＭＡを採用する、Ｅ−ＵＴＲＡを使用するＵＭＴＳの例示的なリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のワイヤレスネットワークおよびＲＡＴ、ならびに他のワイヤレスネットワークおよびＲＡＴのために使用され得る。
【００４５】
[0064]  図１は、本開示の様々な態様による、例示的なワイヤレス通信システム１００の図である。ワイヤレス通信システム１００は、セルラーネットワークなどのＷＷＡＮネットワークと、Ｗｉ−ＦｉネットワークなどのＷＬＡＮネットワークとを含み得る。セルラーネットワークは、１つまたは複数の基地局１０５、１０５−Ａと、１つまたは複数のＵＥ１１５、１１５−Ａと、コアネットワーク１３０とを含み得る。Ｗｉ−Ｆｉネットワークは、１つまたは複数のＷＬＡＮアクセスポイント１３５、１３５−Ａ（たとえば、Ｗｉ−Ｆｉアクセスポイント）と、１つまたは複数のＷＬＡＮ局１４０、１４０−Ａ（たとえば、Ｗｉ−Ｆｉ局）とを含み得る。
【００４６】
[0065]  ワイヤレス通信システム１００のセルラーネットワークを参照すると、コアネットワーク１３０は、ユーザ認証と、アクセス許可と、トラッキングと、インターネットプロトコル（ＩＰ）接続性と、他のアクセス、ルーティング、またはモビリティ機能とを提供し得る。基地局１０５、１０５−Ａは、バックホールリンク（backhaul link）１３２（たとえば、Ｓ１など）を通してコアネットワーク１３０とインターフェースし得、ＵＥ１１５、１１５−Ａとの通信のための無線構成とスケジューリングとを実行し得るか、または基地局コントローラ（図示せず）の制御下で動作し得る。様々な例では、基地局１０５、１０５−Ａは、ワイヤードまたはワイヤレス通信リンクであり得るバックホールリンク１３４（たとえば、Ｘ２など）を介して、直接または間接的（たとえば、コアネットワーク１３０を通して）のいずれかで、互いに通信し得る。
【００４７】
[0066]  基地局１０５、１０５−Ａは、１つまたは複数の基地局アンテナを介して、ＵＥ１１５、１１５−Ａとワイヤレス通信し得る。基地局１０５、１０５−Ａのサイトの各々は、それぞれの地理的カバレージエリア１１０に通信カバレージを与え得る。いくつかの例では、基地局１０５、１０５−Ａは、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５、１０５−Ａのための地理的カバレージエリア１１０は、カバレージエリアの一部分を構成するセクタに分割され得る（図示せず）。セルラーネットワークは、異なるタイプの基地局１０５、１０５−Ａ（たとえば、マクロセル基地局および／またはスモールセル基地局）を含み得る。異なる技術のための重複する地理的カバレージエリア１１０があり得る。
【００４８】
[0067]  いくつかの例では、セルラーネットワークはＬＴＥ／ＬＴＥ−Ａネットワークを含み得る。ＬＴＥ／ＬＴＥ−Ａネットワークでは、発展型ノードＢ（ｅＮＢ）という用語は、基地局１０５、１０５−Ａについて説明するために使用され得るが、ＵＥという用語は、ＵＥ１１５、１１５−Ａについて説明するために使用され得る。セルラーネットワークは、異なるタイプのｅＮＢが様々な地理的領域のためのカバレージを与える異種ＬＴＥ／ＬＴＥ−Ａネットワークであり得る。たとえば、各ｅＮＢまたは基地局１０５、１０５−Ａは、マクロセル、スモールセル、および／または別のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）について説明するために使用され得る３ＧＰＰ用語である。
【００４９】
[0068]  マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、認可、無認可などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５０】
[0069]  セルラーネットワークは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００５１】
[0070]  セルラーネットワークは、いくつかの例では、階層化プロトコルスタックに従って動作する、パケットベースのネットワークを含み得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、論理チャネルを介して通信するためにパケットセグメント化とリアセンブリとを実行し得る。ＭＡＣレイヤは、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートする、ＵＥ１１５、１１５−Ａと基地局１０５、１０５−Ａまたはコアネットワーク１３０との間のＲＲＣ接続の確立と構成と維持とを行い得る。物理（ＰＨＹ）レイヤにおいて、トランスポートチャネルは物理チャネルにマッピングされ得る。
【００５２】
[0071]  ＵＥ１１５、１１５−Ａは、ワイヤレス通信システム１００全体にわたって分散され得、各ＵＥ１１５、１１５−Ａは、固定またはモバイルであり得る。ＵＥ１１５、１１５−Ａは、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５、１１５−Ａは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局１０５、１０５−Ａおよびネットワーク機器と通信することが可能であり得る。
【００５３】
[0072]  ワイヤレス通信システム１００中に示される通信リンク１２５は、基地局１０５、１０５−ＡからＵＥ１１５、１１５−Ａにダウンリンク（ＤＬ）送信を、および／またはＵＥ１１５、１１５−Ａから基地局１０５、１０５−Ａにアップリンク（ＵＬ）送信を搬送し得る。ダウンリンク送信は、順方向リンク送信と呼ばれることもあり、アップリンク送信は、逆方向リンク送信と呼ばれることもある。
【００５４】
[0073]  いくつかの例では、各通信リンク１２５は、１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）、または時間分割複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００５５】
[0074]  ワイヤレス通信システム１００のいくつかの態様では、基地局１０５、１０５−Ａおよび／またはＵＥ１１５、１１５−Ａは、基地局１０５、１０５−ＡとＵＥ１１５、１１５−Ａとの間の通信品質と信頼性とを改善するために、アンテナダイバーシティ方式を採用するための複数のアンテナを含み得る。追加または代替として、基地局１０５、１０５−Ａおよび／またはＵＥ１１５、１１５−Ａは、同じまたは異なるコード化データを搬送する複数の空間レイヤを送信するために、マルチパス環境を利用し得る、多入力多出力（ＭＩＭＯ）技法を採用し得る。
【００５６】
[0075]  ワイヤレス通信システム１００は、複数のセルまたはキャリア上での動作、すなわち、キャリアアグリゲーション（ＣＡ：carrier aggregation）またはマルチキャリア動作と呼ばれることがある機構をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用され得る。ＵＥ１１５、１１５−Ａは、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５７】
[0076]  ワイヤレス通信システム１００のＷｉ−Ｆｉネットワークを参照すると、ＷＬＡＮアクセスポイント１３５、１３５−Ａは、１つまたは複数の通信リンク１４５を介して、１つまたは複数のＷＬＡＮアクセスポイントアンテナを介してＷＬＡＮ局１４０、１４０−Ａとワイヤレス通信し得る。いくつかの例では、ＷＬＡＮアクセスポイント１３５、１３５−Ａは、米国電気電子協会（ＩＥＥＥ）規格８０２．１１（たとえば、ＩＥＥＥ規格８０２．１１ａ、ＩＥＥＥ規格８０２．１１ｎ、またはＩＥＥＥ規格８０２．１１ａｃ）などの、１つまたは複数のＷｉ−Ｆｉ通信規格を使用して、ＷＬＡＮ局１４０、１４０−Ａと通信し得る。
【００５８】
[0077]  いくつかの例では、ＷＬＡＮ局１４０、１４０−Ａは、セルラーフォン、携帯情報端末（ＰＤＡ）、ワイヤレス通信デバイス、ハンドヘルドデバイス、タブレットコンピュータ、ラップトップコンピュータなどであり得る。いくつかの例では、装置は、ＵＥ１１５、１１５−ＡとＷＬＡＮ局１４０、１４０−Ａの両方の態様を含み得、そのような装置は、第１の無線アクセス技術（ＲＡＴ：radio access technology）（たとえば、あるセルラーＲＡＴまたは複数のセルラーＲＡＴ）を使用して、１つまたは複数の基地局１０５、１０５−Ａと通信し、第２のＲＡＴ（たとえば、あるＷｉ−Ｆｉ  ＲＡＴまたは複数のＷｉ−Ｆｉ  ＲＡＴ）を使用して、１つまたは複数のＷＬＡＮアクセスポイント１３５、１３５−Ａと通信し得る。
【００５９】
[0078]  いくつかの例では、基地局１０５、１０５−ＡおよびＵＥ１１５、１１５−Ａは、認可無線周波数スペクトル帯域および／または無認可無線周波数スペクトル帯域を介して通信し得、ＷＬＡＮアクセスポイント１３５、１３５−ＡおよびＷＬＡＮ局１４０、１４０−Ａは、無認可無線周波数スペクトル帯域を介して通信し得る。したがって、無認可無線周波数スペクトル帯域は、基地局１０５、１０５−Ａ、ＵＥ１１５、１１５−Ａ、ＷＬＡＮアクセスポイント１３５、１３５−Ａ、および／またはＷＬＡＮ局１４０、１４０−Ａによって共有され得る。
【００６０】
[0079]  図１に示されている構成要素の数および構成は、一例として与えられている。実際には、ワイヤレス通信システム１００は、図１に示されているもの以外に、追加のデバイス、より少数のデバイス、異なるデバイス、または別様に構成されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００６１】
[0080]  図２は、本開示の様々な態様による、ＬＴＥネットワークアーキテクチャにおける例示的なアクセスネットワーク２００を示す図である。示されているように、アクセスネットワーク２００は、セルラー領域（セル）２２０の対応するセットにサービスするｅＮＢ２１０のセットと、対応するセル２４０のセットにサービスする低電力ｅＮＢ２３０のセットと、ＵＥ２５０のセットとを含み得る。
【００６２】
[0081]  各ｅＮＢ２１０は、それぞれのセル２２０に割り当てられ得、ＲＡＮにアクセスポイントを提供するために構成され得る。たとえば、ｅＮＢ２１０は、ＲＡＮにＵＥ２５０のためのアクセスポイントを提供し得る（たとえば、ｅＮＢ２１０は、図１に示される基地局１０５に対応し得る）。ＵＥ２５０は、図１に示されるＵＥ１１５に対応し得る。図２は、例示的なアクセスネットワーク２００のための集中型コントローラを示さないが、アクセスネットワーク２００は、いくつかの態様では集中型コントローラを使用し得る。ｅＮＢ２１０は、無線ベアラ制御と、承認制御と、モビリティ制御と、スケジューリングと、セキュリティと、ネットワーク接続性とを含む、無線関係の機能を実行し得る。
【００６３】
[0082]  図２に示されているように、１つまたは複数の低電力ｅＮＢ２３０は、ｅＮＢ２１０によってサービスされる１つまたは複数のセル２２０と重複し得る、それぞれのセル２４０にサービスし得る。低電力ｅＮＢ２３０は、図１に示される基地局１０５に対応し得る。低電力ｅＮＢ２３０は、リモートラジオヘッド（ＲＲＨ）と呼ばれることがある。低電力ｅＮＢ２３０は、フェムトセルｅＮＢ（たとえば、ホームｅＮＢ（ＨｅＮＢ））、ピコセルｅＮＢ、マイクロセルｅＮＢなどを含み得る。
【００６４】
[0083]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがダウンリンク（ＤＬ）上で使用され、ＳＣ−ＦＤＭＡがアップリンク（ＵＬ）上で使用される。本明細書で提示される様々な概念は、ＬＴＥ適用例に好適である。しかしながら、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを与えるためにＣＤＭＡを採用する。別の例として、これらの概念はまた、ＷＣＤＭＡおよびＣＤＭＡの他の変形態（たとえば、ＴＤ−ＳＣＤＭＡ、ＴＤＭＡを採用するＧＳＭ、Ｅ−ＵＴＲＡなど）を採用するＵＴＲＡ、ＵＭＢ、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＯＦＤＭＡを採用するＦｌａｓｈ−ＯＦＤＭなどにも拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００６５】
[0084]  図２に示されるデバイスおよびセルの数および構成は、一例として与えられている。実際には、追加のデバイスおよび／もしくはセル、より少数のデバイスおよび／もしくはセル、異なるデバイスおよび／もしくはセル、または図２に示されるものとは異なるように構成されたデバイスおよび／もしくはセルがあり得る。さらに、図２に示される２つ以上のデバイスが、単一のデバイス内で実装されることがあり、または図２に示される単一のデバイスが、複数の分散されたデバイスとして実装されることがある。追加または代替として、図２に示されるデバイスのセット（たとえば、１つまたは複数のデバイス）が、図２に示されるデバイスの別のセットによって実行されるものとして説明される１つまたは複数の機能を実行することがある。
【００６６】
[0085]  図３は、本開示の様々な態様による、ＬＴＥにおけるダウンリンク（ＤＬ）フレーム構造の例３００を示す図である。（たとえば、１０ｍｓの）フレームが、０〜９のインデックスをもつ等しいサイズの１０個のサブフレームに分割され得る。各サブフレームは、２つの連続するタイムスロットを含み得る。２つのタイムスロットを表すためにリソースグリッドが使用されることがあり、各タイムスロットはリソースブロック（ＲＢ）を含む。リソースグリッドは複数のリソース要素に分割される。ＬＴＥでは、リソースブロックは、周波数領域において１２個の連続するサブキャリアを含み、各ＯＦＤＭシンボル中のノーマルサイクリックプレフィックスの場合、時間領域において７個の連続するＯＦＤＭシンボルを含み、すなわち８４個のリソース要素を含む。拡張サイクリックプレフィックスの場合、リソースブロックは、時間領域において６個の連続するＯＦＤＭシンボルを含み、７２個のリソース要素を有する。Ｒ３１０およびＲ３２０として示されるリソース要素の一部は、ＤＬ基準信号（ＤＬ−ＲＳ）を含む。ＤＬ−ＲＳは、（共通ＲＳと呼ばれることもある）セル固有ＲＳ（ＣＲＳ）３１０と、ＵＥ固有ＲＳ（ＵＥ−ＲＳ）３２０とを含む。ＵＥ−ＲＳ３２０は、対応する物理ＤＬ共有チャネル（ＰＤＳＣＨ）がその上にマッピングされるリソースブロック上でのみ送信される。各リソース要素によって搬送されるビット数は、変調方式に依存する。したがって、ＵＥが受信するリソースブロックが多いほど、および変調方式が高いほど、ＵＥのデータレートは高くなる。
【００６７】
[0086]  ＬＴＥでは、ｅＮＢは、ｅＮＢ中の各セルについて１次同期信号（ＰＳＳ）と２次同期信号（ＳＳＳ）とを送り得る。１次同期信号および２次同期信号は、それぞれ、ノーマルサイクリックプレフィックス（ＣＰ）をもつ各無線フレームのサブフレーム０および５の各々の中のシンボル期間６および５の中で送られ得る。同期信号は、セルの検出および捕捉のためにＵＥによって使用され得る。ｅＮＢは、サブフレーム０のスロット１の中のシンボル期間０〜３の中で物理ブロードキャストチャネル（ＰＢＣＨ）を送り得る。ＰＢＣＨは、あるシステム情報を搬送し得る。
【００６８】
[0087]  ｅＮＢは、各サブフレームの第１のシンボル期間において物理制御フォーマットインジケータチャネル（ＰＣＦＩＣＨ）を送り得る。ＰＣＦＩＣＨは、制御チャネルのために使用されるシンボル期間の数（Ｍ）を伝達し得、ただし、Ｍは、１、２または３に等しくなり得、サブフレームごとに変化し得る。Ｍはまた、たとえば、リソースブロックが１０個未満である小さいシステム帯域幅では、４に等しくなり得る。ｅＮＢは、各サブフレームの最初のＭ個のシンボル期間において物理ＨＡＲＱインジケータチャネル（ＰＨＩＣＨ）と物理ダウンリンク制御チャネル（ＰＤＣＣＨ）とを送り得る。ＰＨＩＣＨは、ハイブリッド自動再送要求（ＨＡＲＱ）をサポートするための情報を搬送し得る。ＰＤＣＣＨは、ＵＥのためのリソース割振りについての情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信を予定されている、ＵＥのためのデータを搬送し得る。
【００６９】
[0088]  ｅＮＢは、ｅＮＢによって使用されるシステム帯域幅の中心１．０８ＭＨｚにおいて、ＰＳＳと、ＳＳＳと、ＰＢＣＨとを送り得る。ｅＮＢは、これらのチャネルが送られる各シンボル期間において、システム帯域幅全体にわたってＰＣＦＩＣＨとＰＨＩＣＨとを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳと、ＳＳＳと、ＰＢＣＨと、ＰＣＦＩＣＨと、ＰＨＩＣＨとを送り得、特定のＵＥにユニキャスト方式でＰＤＣＣＨを送り得、また特定のＵＥにユニキャスト方式でＰＤＳＣＨを送り得る。
【００７０】
[0089]  いくつかのリソース要素が各シンボル期間中に利用可能であり得る。各リソース要素（ＲＥ）は、１つのシンボル期間中の１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に構成され得る。各ＲＥＧは、１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０中に属し得るか、またはシンボル期間０、１および２中で拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。
【００７１】
[0090]  ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索するべき組合せの数は、一般に、ＰＤＣＣＨに対して可能にされた組合せの数未満である。ｅＮＢは、ＵＥが探索することになる組合せのいずれかにおいて、ＵＥにＰＤＣＣＨを送り得る。
【００７２】
[0091]  上で示されたように、図３は一例として提供される。他の例が可能であり、図３に関して上記で説明されたものとは異なり得る。
【００７３】
[0092]  図４は、本開示の様々な態様による、ＬＴＥにおけるアップリンク（ＵＬ）フレーム構造の例４００を示す図である。ＵＬのために利用可能なリソースブロックは、データセクションおよび制御セクションに区分され得る。制御セクションは、システム帯域幅の２つのエッジにおいて形成され得、構成可能なサイズを有し得る。制御セクションの中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションをもたらす。
【００７４】
[0093]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中に割り当てられたリソースブロック上の物理ＵＬ制御チャネル（ＰＵＣＣＨ）において制御情報を送信し得る。いくつかの態様では、ＵＥは、データセクション中の割り当てられたリソースブロック上の物理ＵＬ共有チャネル（ＰＵＳＣＨ）中で、データだけを、またはデータと制御情報の両方を送信し得る。ＵＬ送信は、サブフレームの両方のスロットにまたがることがあり、周波数にわたってホッピングすることがある。
【００７５】
[0094]  初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。ＰＲＡＣＨの場合、周波数ホッピングはない。ＰＲＡＣＨの試行は、（たとえば、１ｍｓの）単一のサブフレームにおいて、または数個の連続するサブフレームのシーケンスにおいて搬送される。
【００７６】
[0095]  上で示されたように、図４は一例として提供される。他の例が可能であり、図４に関して上記で説明されたものとは異なり得る。
【００７７】
[0096]  図５は、本開示の様々な態様による、ＬＴＥにおけるユーザプレーンおよび制御プレーンのための無線プロトコルアーキテクチャの例５００を示す図である。ＵＥおよびｅＮＢのための無線プロトコルアーキテクチャは、３つのレイヤ、すなわち、レイヤ１、レイヤ２、およびレイヤ３とともに示される。レイヤ１（Ｌ１レイヤ）は最下位レイヤであり、様々な物理レイヤ信号処理機能を実装する。Ｌ１レイヤは、本明細書では物理レイヤ５１０と呼ばれる。レイヤ２（Ｌ２レイヤ）５２０は、物理レイヤ５１０の上にあり、物理レイヤ５１０を介したＵＥとｅＮＢとの間のリンクを担う。
【００７８】
[0097]  ユーザプレーンでは、Ｌ２レイヤ５２０は、ネットワーク側のｅＮＢにおいて終端される、メディアアクセス制御（ＭＡＣ）サブレイヤ５３０と、無線リンク制御（ＲＬＣ）サブレイヤ５４０と、パケットデータコンバージェンスプロトコル（ＰＤＣＰ）５５０サブレイヤとを含む。示されていないが、ＵＥは、ネットワーク側のパケットデータネットワーク（ＰＤＮ）ゲートウェイにおいて終端されるネットワークレイヤ（たとえば、ＩＰレイヤ）と、接続の他端（たとえば、遠端ＵＥ、サーバなど）において終端されるアプリケーションレイヤとを含む、Ｌ２レイヤ５２０の上のいくつかの上位レイヤを有し得る。
【００７９】
[0098]  ＰＤＣＰサブレイヤ５５０は、異なる無線ベアラと論理チャネルとの間の多重化を行う。ＰＤＣＰサブレイヤ５５０はまた、無線送信オーバーヘッドを低減するための上位レイヤデータパケットのためのヘッダ圧縮と、データパケットを暗号化することによるセキュリティと、ＵＥに対するｅＮＢ間のハンドオーバサポートとを与える。ＲＬＣサブレイヤ５４０は、上位レイヤデータパケットのセグメント化およびリアセンブリと、失われたデータパケットの再送信と、ハイブリッド自動再送要求（ＨＡＲＱ）が原因で順序が狂った受信を補償するためのデータパケットの並べ替えとを行う。ＭＡＣサブレイヤ５３０は、論理チャネルとトランスポートチャネルとの間の多重化を行う。ＭＡＣサブレイヤ５３０はまた、ＵＥの間で１つのセル中の様々な無線リソース（たとえば、リソースブロック）を割り振ることを担う。ＭＡＣサブレイヤ５３０はまた、ＨＡＲＱ動作を担う。
【００８０】
[0099]  制御プレーンにおいて、ＵＥおよびｅＮＢのための無線プロトコルアーキテクチャは、制御プレーンのためのヘッダ圧縮機能がないことを除いて、物理レイヤ５１０およびＬ２レイヤ５２０に対して実質的に同じである。いくつかの態様では、制御プレーンデータに対して完全性保護が提供され得る。制御プレーンはまた、レイヤ３（Ｌ３レイヤ）の中に無線リソース制御（ＲＲＣ）サブレイヤ５６０を含む。ＲＲＣサブレイヤ５６０は、無線リソース（すなわち、無線ベアラ）を取得することと、ｅＮＢとＵＥとの間のＲＲＣシグナリングを使用して下位レイヤを構成することとを担う。
【００８１】
[00100]  上で示されたように、図５は一例として提供される。他の例が可能であり、図５に関して上記で説明されたものとは異なり得る。
【００８２】
[00101]  図６は、本開示の様々な態様による、基地局６１０とＵＥ６１５とを含む通信システム６００の例示的な構成要素の図である。いくつかの態様では、基地局６１０は、図１または図２を参照しながら説明された、基地局および／またはｅＮＢ１０５、１０５−Ａ、２１０、または２３０のうちの１つまたは複数に対応し得る。いくつかの態様では、ＵＥ６１５は、図１または図２を参照しながら上記で説明された、ＵＥ１１５、１１５−Ａ、または２５０のうちの１つまたは複数に対応し得る。基地局６１０は、アンテナ６３４1〜tを装備し得、ＵＥ６１５は、アンテナ６５２1〜rを装備し得、ここにおいて、ｔおよびｒは１以上の整数である。
【００８３】
[00102]  基地局６１０において、基地局送信プロセッサ６２０は、基地局データソース６１２からデータを受信し、基地局コントローラ／プロセッサ６４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などの上で搬送され得る。データは、たとえば、物理ダウンリンク共有チャネル（ＰＤＳＣＨ）の上で搬送され得る。基地局送信プロセッサ６２０は、それぞれデータシンボルと制御シンボルとを取得するために、データと制御情報とを処理（たとえば、符号化およびシンボルマッピング）し得る。基地局送信プロセッサ６２０はまた、たとえば、ＰＳＳ、ＳＳＳ、およびセル固有基準信号（ＲＳ）のための、基準シンボルを生成し得る。基地局送信（ＴＸ）多入力多出力（ＭＩＭＯ）プロセッサ６３０は、適用可能な場合、データシンボル、制御シンボル、および／または基準シンボルにおいて空間処理（たとえば、プリコーディング）を実行し得、基地局変調器／復調器（ＭＯＤ／ＤＥＭＯＤ）６３２1〜tに出力シンボルストリームを与え得る。各基地局変調器／復調器６３２は、出力サンプルストリームを取得するために、（たとえば、直交周波数分割多重（ＯＦＤＭ）などのために）それぞれの出力シンボルストリームを処理し得る。各基地局変調器／復調器６３２は、ダウンリンク信号を取得するために、出力サンプルストリームをさらに処理（たとえば、アナログへの変換、増幅、フィルタ処理、およびアップコンバート）し得る。変調器／復調器６３２1〜tからのダウンリンク信号は、それぞれアンテナ６３４1〜tを介して送信され得る。
【００８４】
[00103]  ＵＥ６１５において、ＵＥアンテナ６５２1〜rは、基地局６１０からダウンリンク信号を受信し得、受信信号をそれぞれＵＥ変調器／復調器（ＭＯＤ／ＤＥＭＯＤ）６５４1〜rに与え得る。各ＵＥ変調器／復調器６５４は、入力サンプルを取得するために、それぞれの受信信号を調整（たとえば、フィルタ処理、増幅、ダウンコンバート、およびデジタル化）し得る。各ＵＥ変調器／復調器６５４は、受信シンボルを取得するために、（たとえば、ＯＦＤＭなどのために）入力サンプルをさらに処理し得る。ＵＥ  ＭＩＭＯ検出器６５６は、すべてのＵＥ変調器／復調器６５４1〜rから受信シンボルを取得し、適用可能な場合は受信シンボルに対してＭＩＭＯ検出を実行し、検出シンボルを与え得る。ＵＥ受信プロセッサ６５８は、検出シンボルを処理（たとえば、復調、デインターリーブ、および復号）し、ＵＥ６１５の復号されたデータをＵＥデータシンク６６０に与え、復号された制御情報をＵＥコントローラ／プロセッサ６８０に与え得る。
【００８５】
[00104]  アップリンク上では、ＵＥ６１５において、ＵＥ送信プロセッサ６６４が、ＵＥデータソース６６２からの（たとえば、物理アップリンク共有チャネル（ＰＵＳＣＨ）のための）データと、ＵＥコントローラ／プロセッサ６８０からの（たとえば、物理アップリンク制御チャネル（ＰＵＣＣＨ）のための）制御情報とを受信し、処理し得る。ＵＥ送信プロセッサ６６４はまた、基準信号のための基準シンボルを生成し得る。ＵＥ送信プロセッサ６６４からのシンボルは、適用可能な場合はＵＥ  ＴＸ  ＭＩＭＯプロセッサ６６６によってプリコーディングされ得、（たとえば、ＳＣ−ＦＤＭなどのために）ＵＥ変調器／復調器６５４1〜rによってさらに処理され得、基地局６１０に送信され得る。基地局６１０において、ＵＥ６１５からのアップリンク信号は、基地局アンテナ６３４によって受信され、基地局変調器／復調器６３２によって処理され、適用可能な場合は基地局ＭＩＭＯ検出器６３６によって検出され、ＵＥ６１５によって送られた復号されたデータと制御情報とを取得するために、基地局受信プロセッサ６３８によってさらに処理され得る。基地局受信プロセッサ６３８は、復号されたデータを基地局データシンク６４６に与え、復号された制御情報を基地局コントローラ／プロセッサ６４０に与え得る。
【００８６】
[00105]  基地局コントローラ／プロセッサ６４０およびＵＥコントローラ／プロセッサ６８０は、それぞれ基地局６１０およびＵＥ６１５における動作を指示し得る。基地局６１０における基地局コントローラ／プロセッサ６４０ならびに／または他のプロセッサおよびモジュールは、たとえば、本明細書で説明される技法のための様々なプロセスを実行するか、またはその実行を指示し得る。ＵＥ６１５におけるＵＥコントローラ／プロセッサ６８０ならびに／または他のプロセッサおよびモジュールもまた、たとえば、図１０、図１１、図１２、図１３に示されている１つまたは複数のブロック、および／または本明細書で説明される技法のための他のプロセスを実行するか、またはその実行を指示し得る。基地局メモリ６４２およびＵＥメモリ６８２は、それぞれ基地局６１０およびＵＥ６１５のためのデータとプログラムコードとを記憶し得る。スケジューラ６４４は、ダウンリンクおよび／またはアップリンク上でのデータ送信のためにＵＥ６１５をスケジュールし得る。
【００８７】
[00106]  一構成では、基地局６１０は、アップリンク（ＵＬ）送信またはダウンリンク（ＤＬ）送信のうちの少なくとも１つについてのコンパクトなダウンリンク制御情報（ＤＣＩ）を生成するための手段と、ここにおいて、コンパクトなＤＣＩが、いくつかの標準ＤＣＩフォーマットと比較して低減されたビット数を備える、ＤＣＩを送信するための手段とを含み得る。一態様では、上述の手段は、上述の手段によって具陳された機能を実行するように構成された、基地局コントローラ／プロセッサ６４０、基地局メモリ６４２、基地局送信プロセッサ６２０、基地局変調器／復調器６３２、および／または基地局アンテナ６３４であり得る。別の態様では、上述の手段は、上述の手段によって具陳された機能を実行するように構成されたモジュールまたは任意の装置であり得る。一構成では、ＵＥ６１５は、アップリンク（ＵＬ）送信またはダウンリンク（ＤＬ）送信のうちの少なくとも１つについてのコンパクトなダウンリンク制御情報（ＤＣＩ）を受信するための手段と、ここにおいて、ＤＣＩが、標準ＤＣＩフォーマットの低減されたビット数を備える、ＤＣＩを処理するための手段とを含み得る。一態様では、上述の手段は、上述の手段によって具陳された機能を実行するように構成された、ＵＥコントローラ／プロセッサ６８０、ＵＥメモリ６８２、ＵＥ受信プロセッサ６５８、ＵＥ  ＭＩＭＯ検出器６５６、ＵＥ変調器／復調器６５４、および／またはＵＥアンテナ６５２であり得る。別の態様では、上述の手段は、上述の手段によって具陳された機能を実行するように構成されたモジュールまたは任意の装置であり得る。
【００８８】
[00107]  図６に示される構成要素の数および構成は、一例として与えられている。実際には、追加の構成要素、より少数の構成要素、異なる構成要素、または図６に示されるものとは異なるように構成された構成要素があり得る。さらに、図６に示される２つ以上の構成要素が単一の構成要素内で実装されることがあり、または図６に示される単一の構成要素が複数の分散された構成要素として実装されることがある。追加または代替として、図６に示される構成要素のセット（たとえば、１つまたは複数の構成要素）が、図６に示される構成要素の別のセットによって実行されるものとして説明される１つまたは複数の機能を実行することがある。
【００８９】
[00108]  図７を参照すると、一態様では、ワイヤレス通信システム７００（図１のワイヤレス通信システム１００と同じまたは同様であり得る）は、少なくとも１つの基地局１０５−ａの通信カバレージ中の少なくとも１つのＵＥ１１５を含む。基地局１０５−ａ（発展型ユニバーサルモバイルテレコミュニケーションズシステム（ＵＭＴＳ）地上波無線アクセスネットワーク（Ｅ−ＵＴＲＡＮ）と総称される）は、バックホールリンク１３２（たとえば、Ｓ１インターフェース）を通してコアネットワーク（図１のコアネットワーク１３０など）とインターフェースし得る。一態様では、ＵＥ１１５は、アプリケーション性能に基づいてユーザ機器電力節約機構を動的に有効化または無効化するために、電力節約構成要素（power saving component）７２０との組合せで動作し得る、１つまたは複数のプロセッサ（図示せず）と、場合によっては、メモリ（図示せず）とを含み得る。ＵＥ１１５と基地局１０５−ａとの間のワイヤレス通信は、それぞれ、通信リンク１２５を介して基地局１０５−ａまたはＵＥ１１５のいずれかによって送信された信号を含み得る。たとえば、ＵＥ１１５と基地局１０５−ａとの間の通信に関して、ワイヤレス通信は、基地局１０５−ａによってＵＥ１１５に送信される１つまたは複数のダウンリンクチャネルと、ＵＥ１１５によって基地局１０５−ａに送信される１つまたは複数のアップリンクチャネルとを含み得る。
【００９０】
[00109]  一態様では、ＵＥ１１５および／または電力節約構成要素７２０は、電力節約機構７４２が無効化される第１の時間期間の間に、ＵＥ上で実行しているアプリケーションに関連付けられた第１の性能パラメータ７３２を決定するように構成され得る、決定構成要素（determining component）７３０を含む。決定構成要素７３０は、電力節約機構７４２が有効化される第２の時間期間の間に、ＵＥ上で実行しているアプリケーションに関連付けられた第２の性能パラメータ７３４を決定するように構成され得る。決定構成要素７３０は、第１の性能パラメータ７３２と第２の性能パラメータ７３４とに少なくとも部分的に基づいて、アプリケーションに対して電力節約機構７４２を有効化するか無効化するかを決定するようにさらに構成され得る。
【００９１】
[00110]  一態様では、ＵＥ１１５および／または電力節約構成要素７２０は、第１の性能パラメータ７３２と第２の性能パラメータ７３４とを比較するように構成され得る、比較構成要素（comparing component）７３６を含む。たとえば、電力節約機構を有効化するか無効化するかを決定することにおいて、決定構成要素７３０および／または比較構成要素７３６は、第１の性能パラメータ７３２と第２の性能パラメータ７３４とを比較し得る。比較の結果として、決定構成要素７３０および／または比較構成要素７３６は、第１の性能パラメータ７３２と第２の性能パラメータ７３４とを比較することに少なくとも部分的に基づいて、電力節約機構７４２を有効化するか無効化するかを決定し得る。比較の結果として、決定構成要素７３０は、アプリケーションに対して電力節約機構７４２を有効化または無効化するように構成され得る。
【００９２】
[00111]  図８Ａおよび図８Ｂは、本開示の様々な態様による、アプリケーションに対して電力節約機構を有効化するか無効化するかを決定する例８００を示す図である。
【００９３】
[00112]  図８Ａに示されているように、ＵＥ８１０は、図７の電力節約構成要素７２０など、電力節約構成要素を含み得る。電力節約構成要素７２０は、電力節約機構が無効化される第１の時間期間８２０の間に、第１の性能パラメータ（ＣＣ1として示される）を測定することによって、および、電力節約機構が有効化される第２の時間期間８３０の間に、第２の性能パラメータ（ＣＣ2として示される）を測定することによって、アプリケーションに対して電力節約機構を有効化するか無効化するかを決定し得る。ＵＥ８１０は、本開示の１つまたは複数の他の図に関して説明されるＵＥに対応し得る。第１の時間期間８２０は、本明細書では、無効化機構期間（disabled feature period）８２０と呼ばれることがある。同様に、第２の時間期間８３０は、本明細書では、有効化機構期間（enabled feature period）８３０と呼ばれることがある。
【００９４】
[00113]  いくつかの態様では、電力節約機構は、電力節約アプリケーション（たとえば、ネットワークソケット要求マネージャ（ＮＳＲＭ）アプリケーション）のモードを指すことがある。たとえば、電力節約アプリケーションは、複数のモードで動作可能であり得、電力節約機構は、それらのモードのうちの１つを指すことがある。この場合、電力節約機構を有効化または無効化することは、電力節約アプリケーションのモードを有効化または無効化することを指すことがある。たとえば、ＵＥ８１０は、ＮＳＲＭバージョン１、ＮＳＲＭバージョン２、ＮＳＲＭの別のバージョン、別の電力節約アプリケーションの１つまたは複数のモードなどを有効化または無効化し得る。
【００９５】
[00114]  示されているように、無効化機構期間８２０の間に、ＵＥ８１０は、ＵＥ８１０上で実行しているアプリケーションに関連付けられた第１の性能パラメータ（ＣＣ1）を決定し得る。第１の性能パラメータは、電力節約機構がアプリケーションに対して無効化されるとき、アプリケーションに関連付けられた電力消費を示し得る。たとえば、第１の性能パラメータは、ＵＥ８１０がウェイクアップするかまたはアイドルモード（たとえば、ＤＴＸモード、ＤＲＸモード、無線リソース制御（ＲＲＣ）アイドルモードなど）から出ることを、アプリケーションが引き起こす（たとえば、時間期間における、または時間の量によって分割された）発生の回数、ＵＥ８１０がＲＲＣ接続モードに入ることをアプリケーションが引き起こす回数、アプリケーションによってトリガされたＲＲＣ接続の数などを示し得る。場合によっては、第１の性能パラメータは、本明細書では、無効化機構パラメータ（disabled feature parameter）と呼ばれることがある。
【００９６】
[00115]  さらに示されているように、有効化機構期間８３０の間に、ＵＥ８１０は、ＵＥ８１０上で実行しているアプリケーションに関連付けられた第２の性能パラメータ（ＣＣ2）を決定し得る。第２の性能パラメータは、電力節約機構がアプリケーションに対して有効化されるとき、アプリケーションに関連付けられた電力消費を示し得る。たとえば、第２の性能パラメータは、ＵＥ８１０がウェイクアップするかまたはアイドルモード（たとえば、ＤＴＸモード、ＤＲＸモード、無線リソース制御（ＲＲＣ）アイドルモードなど）から出ることを、アプリケーションが引き起こす（たとえば、時間期間における、または時間の量によって分割された）発生の回数、ＵＥ８１０がＲＲＣ接続モードに入ることをアプリケーションが引き起こす回数、アプリケーションによってトリガされたＲＲＣ接続の数などを示し得る。場合によっては、第２の性能パラメータは、本明細書では、有効化機構パラメータ（enabled feature parameter）と呼ばれることがある。
【００９７】
[00116]  示されているように、ＵＥ８１０は、アプリケーションに対して電力節約機構を有効化するか無効化するかを決定するために、第１の性能パラメータおよび／または第２の性能パラメータを使用し得る。たとえば、性能パラメータが、電力節約機構が無効化されるときと比較して、電力節約機構が有効化されるとき、より少ない電力が消費されることを示す場合、ＵＥ８１０は、アプリケーションに対して電力節約機構を有効化し得る。逆に、性能パラメータが、電力節約機構が無効化されるときと比較して、電力節約機構が有効化されるとき、より多い電力が消費されることを示す場合、ＵＥ８１０は、アプリケーションに対して電力節約機構を無効化し得る。アプリケーションに対して電力節約機構を有効化するか無効化するかを決定するために、性能パラメータを使用することに関する追加の詳細が、図８Ｂに関して以下で説明される。
【００９８】
[00117]  図８Ａにさらに示されているように、ＵＥ８１０は、無効化機構期間８２０の持続時間が、電力節約機構を有効化するか無効化するかを決定する前に、検出しきい値（detection threshold）（ＴDetectとして示される）を満たすか否かを決定し得る。たとえば、持続時間が、検出しきい値を満たさない場合、ＵＥ８１０は、無効化機構パラメータ（ＣＣ2）を決定するために、十分大きいサンプルサイズの情報を有していないことがある。持続時間が、検出しきい値を満たす場合、ＵＥ８１０は、無効化機構パラメータ（ＣＣ2）を決定するために、十分な情報を取得していることがある。したがって、ＵＥ８１０は、無効化機構期間が検出しきい値を満たすと決定することに少なくとも部分的に基づいて、無効化機構パラメータを決定し得る。
【００９９】
[00118]  同様に、ＵＥ８１０は、有効化機構期間８３０の持続時間が、電力節約機構を有効化するか無効化するかを決定する前に、検出しきい値（ＴDetectとして示される）を満たすか否かを決定し得る。有効化機構期間８３０のための検出しきい値は、無効化機構期間８２０のための検出しきい値と同じであるか、または異なり得る。ＵＥ８１０は、有効化機構期間が検出しきい値を満たすと決定することに少なくとも部分的に基づいて、有効化機構パラメータを決定し得る。
【０１００】
[00119]  いくつかの態様では、無効化機構期間８２０および有効化機構期間８３０は、その間にユーザがＵＥ８１０をアクティブに使用中ではない時間期間に対応し得る。たとえば、ＵＥ８１０は、ユーザがＵＥ８１０をアクティブに使用中であるか否かを示す、１つまたは複数のユーザアクティビティトリガ（user activity trigger）について、ＵＥ８１０を監視し得る。ユーザアクティビティトリガは、たとえば、ＵＥ８１０のディスプレイがオンであることを示すトリガ、ユーザ入力がＵＥ８１０に与えられている、および／またはＵＥ８１０によって受信されていることを示すトリガ（たとえば、キーパッド入力、タッチスクリーン入力、マイクロフォン入力など）、ユーザに向けられた出力がＵＥ８１０によって与えられていることを示すトリガ（たとえば、スピーカー出力、ディスプレイ出力など）、ＵＥ８１０が別のデバイスとのテザリングのために使用されていることを示すトリガなどを含み得る。ユーザアクティビティトリガに関する追加の詳細が、図１０に関して以下で説明される。
【０１０１】
[00120]  いくつかの態様では、ＵＥ８１０は、アプリケーション固有の性能パラメータを決定し得る。たとえば、ＵＥ８１０は、第１のアプリケーションのための第１の無効化機構パラメータと第１の有効化機構パラメータとを決定し得、第２のアプリケーションのための第２の無効化機構パラメータと第２の有効化機構パラメータとを決定し得る、などである。このようにして、ＵＥ８１０は、異なるアプリケーションに対して電力節約機構を有効化または無効化し得る。たとえば、ＵＥ８１０は、第１のアプリケーションに対して電力節約機構を有効化するように決定し得、第２のアプリケーションに対して電力節約機構を無効化するように決定し得る。このようにして、ＵＥ８１０は、ＵＥ８１０上で実行している異なるアプリケーションに対して電力節約機構を選択的に有効化または無効化することによって、電力消費を低減するために、きめの細かい制御を行い得る。
【０１０２】
[00121]  図８Ｂに示されているように、および一例として、第１の性能パラメータ（ＣＣ1）は、電力節約機構が無効化されるとき、アプリケーションによってトリガされたＲＲＣ接続の数を表し得る。同様に、第２の性能パラメータ（ＣＣ2）は、電力節約機構が有効化されるとき、アプリケーションによってトリガされたＲＲＣ接続の数を表し得る。いくつかの態様では、ＵＥ８１０は、第１の性能パラメータと第２の性能パラメータとを比較し得、第１の性能パラメータと第２の性能パラメータとを比較することに少なくとも部分的に基づいて、アプリケーションに対して電力節約機構を有効化するか無効化するかを決定し得る。
【０１０３】
[00122]  いくつかの態様では、ＵＥ８１０は、第１の性能パラメータが第２の性能パラメータよりも大きいか、それよりも小さいか、それに等しいかを決定するために、それらの性能パラメータを比較し得る。ＵＥ８１０は、アプリケーションに対して電力節約機構を有効化するか無効化するかを決定するために、この比較を使用し得る。追加または代替として、ＵＥ８１０は、比較を実行する前に、重み値を使用して、第１の性能パラメータおよび／または第２の性能パラメータを修正し得る。この場合、および一例として、ＵＥ８１０は、重み付けされた第１の性能パラメータと第２の性能パラメータとを比較し得る。別の例として、ＵＥ８１０は、第１の性能パラメータと重み付けされた第２の性能パラメータとを比較し得る。別の例として、ＵＥ８１０は、重み付けされた第１の性能パラメータと重み付けされた第２の性能パラメータとを比較し得る。
【０１０４】
[00123]  一例として、および示されているように、第１の性能パラメータは、いくつかの態様では、第２の性能パラメータよりも大きくなり得る。これは、電力節約機構が無効化されたとき、アプリケーションがより多くのＲＲＣ接続をトリガしたことと、電力節約機構が有効化されたとき、アプリケーションがより少ないＲＲＣ接続をトリガしたこととを示し得る。したがって、アプリケーションは、電力節約機構が有効化されたとき、より少ない電力を消費した。したがって、ＵＥ８１０は、電力消費を低減するために、アプリケーションに対して電力節約機構を有効化し得る。
【０１０５】
[00124]  別の例として、および示されているように、第２の性能パラメータは、いくつかの態様では、第１の性能パラメータよりも大きくなり得る。これは、電力節約機構が有効化されたとき、アプリケーションがより多くのＲＲＣ接続をトリガしたことと、電力節約機構が無効化されたとき、アプリケーションがより少ないＲＲＣ接続をトリガしたこととを示し得る。したがって、アプリケーションは、電力節約機構が無効化されたとき、より少ない電力を消費した。したがって、ＵＥ８１０は、電力消費を低減するために、アプリケーションに対して電力節約機構を無効化し得る。
【０１０６】
[00125]  アプリケーションによってトリガされたＲＲＣ接続の数は、一例として、図８Ｂにおける性能パラメータとして使用される。実際には、他の性能パラメータが、本明細書の他の場所で説明されるように使用され得る。さらに、性能パラメータの直接比較が、一例として図８Ｂに示されている。実際には、性能パラメータは、示されているものとは異なる方法で、互いに、および／または他の値と比較され得る。一例として、第１の性能パラメータと第２の性能パラメータの両方が、しきい値性能パラメータ値（たとえば、構成可能な値未満である場合、ＵＥ８１０は、電力節約機構を有効化し得る。別の例として、ＵＥ８１０は、重み値（たとえば、異なる重み値）を使用して、第１の性能パラメータおよび／または第２の性能パラメータを修正し得、アプリケーションに対して電力節約機構を有効化するか無効化するかを決定するために、修正された性能パラメータを比較し得る。追加または代替として、本明細書で説明される１つまたは複数のパラメータは、１つまたは複数の他のパラメータおよび／または定数値と数学的に組み合わせられ得、得られる値が比較のために使用され得る。
【０１０７】
[00126]  上で示されたように、図８Ａおよび図８Ｂは、一例として提供される。他の例が可能であり、図８Ａおよび図８Ｂに関して説明されたものとは異なり得る。
【０１０８】
[00127]  図９Ａ〜図９Ｃは、本開示の様々な態様による、アプリケーションに対して電力節約機構を有効化するか無効化するかの評価と再評価とをトリガする例９００を示す図である。
【０１０９】
[00128]  図９Ａに示されているように、ＵＥ９１０は、図７の電力節約構成要素７２０など、電力節約構成要素を含み得る。電力節約構成要素７２０は、アプリケーションがＵＥ９１０上でインストールまたは更新されたことを検出し得る。ＵＥ９１０は、本開示の１つまたは複数の他の図に関して説明されるＵＥに対応し得る。アプリケーションがインストールまたは更新されたことを検出することに少なくとも部分的に基づいて、ＵＥ９１０は、アプリケーションに対して電力節約機構を有効化するか無効化するかを評価し得る。
【０１１０】
[00129]  たとえば、および示されているように、ＵＥ９１０は、アプリケーションがダウンロードまたは更新されたことを決定し得る。この決定に少なくとも部分的に基づいて、ＵＥ９１０は、電力節約機構がアプリケーションに対して無効化される第１の時間期間９２０の間に、第１の性能パラメータ（ＣＣ1）を決定し得、電力節約機構が有効化される第２の時間期間９３０の間に、第２の性能パラメータ（ＣＣ2）を決定し得る。いくつかの態様では、第１の時間期間９２０は、第１の時間期間８２０（たとえば、無効化機構期間８２０）に対応し得、第２の時間期間９３０は、第２の時間期間８３０（たとえば、有効化機構期間８３０）に対応し得る。
【０１１１】
[00130]  ＵＥ９１０は、本明細書の他の場所で説明されるように、第１の性能パラメータ（たとえば、無効化機構パラメータ）と第２の性能パラメータ（たとえば、有効化機構パラメータ）とに少なくとも部分的に基づいて、アプリケーションに対して電力節約機構を有効化するか無効化するかを決定し得る。このようにして、新しいアプリケーションがＵＥ９１０上にインストールされるとき、ＵＥ９１０は、電力を節約するために、アプリケーションに対して電力節約機構を有効化するか無効化するかを評価し得る。追加または代替として、アプリケーションが更新されるとき、アプリケーションの挙動は、電力節約機構に関して変化し得る。したがって、ＵＥ９１０は、電力を節約するために、更新されたアプリケーションに対して電力節約機構を有効化するか無効化するかを評価し得る。
【０１１２】
[00131]  図９Ｂに示されているように、ＵＥ９１０は、（たとえば、図９Ａに関して説明された評価に少なくとも部分的に基づいて）第１の時間においてアプリケーションに対して電力節約機構を無効化し得る。後で、ＵＥ９１０は、アプリケーションに対して電力節約機構を有効化するか無効化するかを再評価し得る。たとえば、ＵＥ９１０は、前の評価を実行してから、アプリケーションに対して電力節約機構を無効化するように決定してからなど、しきい値時間期間９４０（たとえば、評価しきい値）が経過したと決定し得る。別の例として、ＵＥ９１０は、しきい値時間期間９４０が経過したことと、アプリケーションが前の評価から更新されたこととの決定に少なくとも部分的に基づいて、電力節約機構を有効化するか無効化するかを再評価し得る。
【０１１３】
[00132]  一例として、および示されているように、電力節約機構がアプリケーションに対して無効化される場合、ＵＥ９１０は、電力節約機構が無効化される第３の時間期間９５０の間にアプリケーションに関連付けられた第３の性能パラメータを決定することによって、再評価を実行し得る。さらに、ＵＥ９１０は、電力節約機構が有効化される第４の時間期間９６０の間にアプリケーションに関連付けられた第４の性能パラメータを決定することによって、再評価を実行し得る。
【０１１４】
[00133]  いくつかの態様では、第３の性能パラメータ（ＮｅｗＣＣ1）は、上記で説明された第１の性能パラメータ（ＯｌｄＣＣ1）に対応し得る。この場合、第１の性能パラメータは、第１の無効化機構パラメータと呼ばれることがあり、第３の性能パラメータは、第２の無効化機構パラメータと呼ばれることがあり、その理由は、これらの性能パラメータが、電力節約機構が無効化される時間期間の間に決定されるからである。同様に、第４の性能パラメータ（ＮｅｗＣＣ2）は、上記で説明された第２の性能パラメータ（ＯｌｄＣＣ2）に対応し得る。この場合、第２の性能パラメータは、第１の有効化機構パラメータと呼ばれることがあり、第４の性能パラメータは、第２の有効化機構パラメータと呼ばれることがあり、その理由は、これらの性能パラメータが、電力節約機構が有効化される時間期間の間に決定されるからである。
【０１１５】
[00134]  いくつかの態様では、第３の時間期間９５０は、第１の時間期間９２０に対応し得る。この場合、第１の時間期間９２０は、第１の無効化機構期間９２０と呼ばれることがあり、第３の時間期間９５０は、第２の無効化機構期間９５０と呼ばれることがあり、その理由は、電力節約機構がこれらの時間期間の間に無効化されるからである。同様に、第４の時間期間９６０は、第２の時間期間９３０に対応し得る。この場合、第２の時間期間９３０は、第１の有効化機構期間９３０と呼ばれることがあり、第４の時間期間９６０は、第２の有効化機構期間９５０と呼ばれることがあり、その理由は、電力節約機構がこれらの時間期間の間に有効化されるからである。
【０１１６】
[00135]  ＵＥ９１０は、第１の性能パラメータと第２の性能パラメータとに関して上記で説明された方法と同様の方法で、第３の性能パラメータと第４の性能パラメータとに少なくとも部分的に基づいて、第２の時間において、アプリケーションに対して電力節約機構を有効化するか無効化するかを決定し得る。たとえば、ＵＥ９１０は、第３の性能パラメータ（ＮｅｗＣＣ1）と第４の性能パラメータ（ＮｅｗＣＣ2）とを比較し得、第３の性能パラメータと第４の性能パラメータとを比較することに少なくとも部分的に基づいて、アプリケーションに対して電力節約機構を有効化するか無効化するかを決定し得る。
【０１１７】
[00136]  このようにして、ＵＥ９１０は、アプリケーションに対して電力節約機構を有効化または無効化することが、電力を節約するか否かを再評価し得る。たとえば、（たとえば、更新による）アプリケーションの挙動、（たとえば、更新による）電力節約機構の挙動、ＵＥ９１０の挙動、アプリケーションに関連付けられたアプリケーションサーバの挙動など、ＵＥ９１０に関連付けられた状態は、経時的に変化し得る。アプリケーションに対して電力節約機構を有効化または無効化することが、電力を節約するか否かを周期的に再評価することによって、ＵＥ９１０は、ＵＥ９１０、アプリケーション、および／または電力節約機構の性能を向上させ得る。
【０１１８】
[00137]  図９Ｃに示されているように、ＵＥ９１０は、（たとえば、図９Ａに関して説明された評価に少なくとも部分的に基づいて）第１の時間においてアプリケーションに対して電力節約機構を有効化し得る。後で、ＵＥ９１０は、図９Ｂに関して上記で説明されたように、アプリケーションに対して電力節約機構を有効化するか無効化するかを再評価し得る。たとえば、ＵＥ９１０は、前の評価を実行してから、アプリケーションに対して電力節約機構を無効化するように決定してからなど、しきい値時間期間９４０（たとえば、評価しきい値）が経過したと決定し得る。別の例として、ＵＥ９１０は、しきい値時間期間９４０が経過したことと、アプリケーションが前の評価から更新されたこととの決定に少なくとも部分的に基づいて、電力節約機構を有効化するか無効化するかを再評価し得る。
【０１１９】
[00138]  一例として、および示されているように、電力節約機構がアプリケーションに対して有効化される場合、ＵＥ９１０は、電力節約機構が有効化される時間期間９７０の間にアプリケーションに関連付けられた性能パラメータ（ＮｅｗＣＣ2）を決定することによって、再評価を実行し得る。いくつかの態様では、この性能パラメータは、図９Ｂに関して上記で説明された、第２の有効化機構パラメータ（ＮｅｗＣＣ2）に対応し得る。追加または代替として、時間期間９７０は、図９Ｂに関して上記で説明された、第２の有効化機構期間９５０に対応し得る。
【０１２０】
[00139]  ＵＥ９１０は、第１の有効化機構パラメータ（Ｏｌｄ  ＣＣ2）と第２の有効化機構パラメータ（Ｎｅｗ  ＣＣ2）とに少なくとも部分的に基づいて、第２の時間において、アプリケーションに対して電力節約機構を有効化するか無効化するかを決定し得る。たとえば、ＵＥ９１０は、第１の有効化機構パラメータ（Ｏｌｄ  ＣＣ2）と第２の有効化機構パラメータ（Ｎｅｗ  ＣＣ2）とを比較し得、この比較に少なくとも部分的に基づいて、アプリケーションに対して電力節約機構を有効化するか無効化するかを決定し得る。
【０１２１】
[00140]  いくつかの態様では、ＵＥ９１０は、第１の有効化機構パラメータ（ＯｌｄＣＣ2）と第２の有効化機構パラメータ（ＮｅｗＣＣ2）とを比較することに少なくとも部分的に基づいて、電力節約機構を有効化されたままに保つか、完全再評価（full re-evaluation）を実行するかを決定し得る。たとえば、ＮｅｗＣＣ2がＯｌｄＣＣ2未満である場合、これは、電力節約機構が、前の評価中に有効化されたときに消費された電力の量と比較して、再評価中に有効化されたときにより少ない電力を消費したことを示し得る。したがって、この場合、ＵＥ９１０は、電力節約機構を、アプリケーションに対して有効化されたままに保ち得る。
【０１２２】
[00141]  別の例として、ＮｅｗＣＣ2がＯｌｄＣＣ2よりも大きい場合、これは、電力節約機構が、前の評価中に有効化されたときに消費された電力の量と比較して、再評価中に有効化されたときにより多い電力を消費したことを示し得る。この場合、ＵＥ９１０は、アプリケーションに対して電力節約機構を有効化するか無効化するかを決定するために、完全再評価を実行し得る。完全再評価は、図９Ｂに関して説明された例に対応し得、その例では、ＵＥ９１０は、第２の無効化機構期間の間に第２の無効化機構パラメータ（ＮｅｗＣＣ1）を決定し、第２の有効化機構期間の間に第２の有効化機構パラメータ（ＮｅｗＣＣ2）を決定し、アプリケーションに対して電力節約機構を有効化するか無効化するかを決定するために、第２の無効化機構パラメータと第２の有効化機構パラメータとを比較する。
【０１２３】
[00142]  このようにして、ＵＥ９１０が、（たとえば、図９Ａに関して説明された）初期評価（initial evaluation）に少なくとも部分的に基づいて、電力節約機構を有効化することが電力を節約すると決定したとき、ＵＥ９１０は、（たとえば、図９Ｃに関して説明された）電力節約機構を有効化されたままに保つか否かを決定するために、部分的再評価（partial re-evaluation）を実行することによって、コンピューティングリソースを節約し得る。しかしながら、ＵＥ９１０が、（たとえば、図９Ａに関して説明された）初期評価に少なくとも部分的に基づいて、電力節約機構を無効化することが電力を節約すると決定した場合、ＵＥ９１０は、（たとえば、図９Ｂに関して説明された）アプリケーションに対して電力節約機構を有効化するか無効化するかを決定するために、完全再評価を実行し得る。
【０１２４】
[00143]  上で示されたように、図９Ａ〜図９Ｃは、一例として提供される。他の例が可能であり、図９Ａ〜図９Ｃに関して説明されたものとは異なり得る。
【０１２５】
[00144]  図９Ｄは、アプリケーションに対して電力節約機構を有効化するか無効化するかを決定するために使用される、１つまたは複数のアプリケーションのリストを確立するためのチャート図９９０を示す図である。
【０１２６】
[00145]  図９Ｄに示されているように、ＵＥ１１５（図７）などのＵＥは、３つのリスト、すなわち、動的包含リスト（dynamic inclusion list）と、動的排除リスト（dynamic exclusion list）と、保留リスト（pending list）とを維持し得る、電力節約構成要素７２０（図７）などの電力節約構成要素とともに構成され得る。たとえば、動的包含リストは、順番に探索されるように電力節約構成要素によって特定され、ユーザ機器電力節約機構を動的に有効化することかまたは無効化することかを決定する、アプリケーションのリストに対応し得る。動的排除リストは、初めてインストールされるように、またはアプリケーションが更新されたこと、およびアプリケーションが現在動的包含リスト中にあること、またはアプリケーションが現在動的排除リスト中にないことが電力節約構成要素によって特定される、アプリケーションのリストに対応し得る。保留リストは、順番に探索されないように電力節約構成要素によって特定され、ユーザ機器電力節約機構を動的に有効化することかまたは無効化することかを決定する、アプリケーションのリストに対応し得る。一態様では、たとえば、電力節約構成要素は、ユーザ機器電力節約機構を動的に有効化することかまたは無効化することかを決定するための、保留リスト中のアプリケーションのための検出アルゴリズムを実行し得る。初期保留リストは、動的包含リスト中に含まれるすべてのアプリケーション、および／または動的排除リスト中に含まれていないすべてのアプリケーションを含み得る。さらに、ＵＥは、アプリケーションが初めてインストールされること、またはアプリケーションが更新されたこと、およびアプリケーションが現在動的包含リスト中にあること、またはアプリケーションが現在動的排除リスト中にないことを決定することに基づいて、アプリケーションを保留リストに入れ得る。その上、ＵＥは、同様にこの決定の結果に基づいて、動的包含リストまたは動的排除リストのいずれかに、アプリケーションを移動させ得る。
【０１２７】
[00146]  加えて、ＵＥは、そのソースアプリケーションが現在動的包含リスト中にあるか、または動的排除リスト中にない場合、パケットを同期させ得、および、ソースアプリケーションが動的包含リスト、またはＭNSRMについてカウントすることとともに保留リスト中にあること、ここにおいて、ＮＳＲＭは、ＵＥのネットワークソケット要求マネージャに対応する。一態様では、各アプリケーションは、２つの変数、すなわち、ＮＳＲＭ作業モードとＮＳＲＭ学習アルゴリズム終了とを維持し得る。たとえば、ＮＳＲＭ作業モード（ＡｃｔｉｖｅＭｏｄｅ）は、アプリケーションに適用された現在のＭＳＲＭモードに対応し得る。ＮＳＲＭ作業モードのための可能な値は、なし、ＮＳＲＭ１．０、またはＮＳＲＭ２．０のうちの少なくとも１つを含み得る。別の例では、ＮＳＲＭ学習アルゴリズム終了（ＩｓＣｏｎｃｌｕｄｅｄ）は、アプリケーションについての決定が行われたか否かを示すことに対応し得、可能な値は、真または偽のいずれかであり得る。一態様では、任意のソケットコールが取り込まれるとき、電力節約構成要素は、対応するＵＩＤのＮＳＲＭ作業モードの値をチェックし得、次いで、コールを同期させるか否かを決定し得る。データ／パケットを同期させることは、ＵＥが、ＵＥのリブート後に再使用するためにデータを保存することを可能にする。
【０１２８】
[00147]  図１０は、本開示の様々な態様による、アプリケーションに対して電力節約機構を有効化するか無効化するかを決定することに関連付けられた性能パラメータに関する情報について、その間に監視するべき学習時間期間を決定する例１０００を示す図である。
【０１２９】
[00148]  図１０に示されているように、ＵＥ１０１０は、図７の電力節約構成要素７２０など、電力節約構成要素を含み得る。電力節約構成要素７２０は、本明細書で説明される１つまたは複数の性能パラメータに関係する情報を取得するための学習時間期間１０２０を特定するために、１つまたは複数のユーザアクティビティトリガを監視し得る。ＵＥ１０１０は、本開示の１つまたは複数の他の図に関して説明されるＵＥに対応し得る。学習時間期間１０２０は、その間にＵＥ１０１０が、無効化機構時間期間、有効化機構時間期間など、本明細書で説明される性能パラメータを決定するために情報を取得する、時間期間、複数の時間期間、または時間期間の一部分に対応し得る。
【０１３０】
[00149]  いくつかの態様では、学習時間期間１０２０は、その間にユーザがＵＥ１０１０をアクティブに使用中ではない時間期間を含み得る。たとえば、ＵＥ１０１０は、ユーザがＵＥ１０１０をアクティブに使用中であるか否かを示す、１つまたは複数のユーザアクティビティトリガについて、ＵＥ１０１０を監視し得る。ユーザアクティビティトリガは、たとえば、ＵＥ１０１０のディスプレイがオンであることを示すトリガ、ユーザ入力がＵＥ１０１０に与えられている、および／またはＵＥ１０１０によって受信されていることを示すトリガ（たとえば、キーパッド入力、タッチスクリーン入力、マイクロフォン入力など）、ユーザに向けられた出力がＵＥ１０１０によって与えられていることを示すトリガ（たとえば、スピーカー出力、ディスプレイ出力など）、ＵＥ１０１０が別のデバイスとのテザリングのために使用されていることを示すトリガ、ＵＥ１０１０がネットワーク（たとえば、ＷＬＡＮ、ピアツーピアネットワークなど）のために構成されたＩＰアドレスを有することを示すトリガ、パーソナルエリアネットワーク（たとえば、Ｂｌｕｅｔｏｏｔｈ（登録商標））がＵＥ１０１０によって使用されていることを示すトリガ、（たとえば、高精細度メディアインターフェース（ＨＤＭＩ（登録商標））、ユニバーサルシリアルバス（ＵＳＢ）インターフェースなどを介して）ＵＥ１０１０が別のデバイスに接続されることを示すトリガ、ＵＥ１０１０の全地球測位システムがオンであることを示すトリガ、緊急警報がＵＥ１０１０によって受信されたことを示すトリガなどを含み得る。いくつかの態様では、学習時間期間１０２０は、あらゆるユーザアクティビティトリガがオフ（たとえば、偽）である時間期間であり得る。
【０１３１】
[00150]  ＵＥ１０１０は、ユーザがＵＥ１０１０をアクティブに使用中ではないときの性能パラメータに関係する情報について監視し得る。このようにして、ＵＥ１０１０は、ユーザアクティビティによってトリガされたイベントによってではなく、アプリケーションによってトリガされたイベントに少なくとも部分的に基づいて、性能パラメータを決定し得る。このようにして、ＵＥ１０１０は、ユーザアクティビティが性能に干渉することなしに、電力節約機構が有効化されたアプリケーションの性能と、電力節約機構が無効化されたアプリケーションの性能との間で適正な比較を行うことが可能であり得る。
【０１３２】
[00151]  図１０にさらに示されているように、ＵＥ１０１０は、学習時間期間１０２０と非学習時間期間（non-learning time period）１０３０との間で区別し得る。たとえば、学習時間期間１０２０は、その間に１つまたは複数のユーザアクティビティトリガがオフである（たとえば、ユーザアクティビティが検出されない）時間期間に対応し得、非学習時間期間１０３０は、その間に１つまたは複数のユーザアクティビティトリガがオンである（たとえば、ユーザアクティビティが検出される）時間期間に対応し得る。ＵＥ１０１０は、学習時間期間１０２０中の性能パラメータに関係する情報について監視し得、非学習時間期間１０３０中の性能パラメータに関係する情報について監視しなくてよい。
【０１３３】
[00152]  いくつかの態様では、ＵＥ１０１０は、非学習時間期間１０２０が終了したことを検出し得る。たとえば、ＵＥ１０１０は、１つまたは複数のユーザアクティビティトリガがオフであることを決定することなどによって、ユーザ非アクティビティを検出し得る。いくつかの態様では、ＵＥ１０１０は、非学習時間期間１０２０が終了した後、性能パラメータに関係する情報について監視する前に、マージン時間期間１０４０（ＴMARGIN）として示されるしきい値時間量の間、待機し得る。このようにして、ＵＥ１０１０は、性能パラメータについて監視する前に、アプリケーションが、アプリケーション性能に干渉し得るユーザアクティビティに関係するアクションを実行し終えること（たとえば、クールダウンすること）を可能にし得る。
【０１３４】
[00153]  一例として、ＵＥ１０１０は、非学習時間期間１０３０が終了したことを決定し得、マージン時間期間１０４０をカウントすることを開始し得、マージン時間期間１０４０が満了するとき、学習時間期間１０２０を開始し得る。学習時間期間１０２０を開始するために、ＵＥ１０１０は、アプリケーションに対して電力節約機構を有効化または無効化し得、有効化機構パラメータまたは無効化機構パラメータに関係する情報について監視し得る。たとえば、学習時間期間１０２０が、無効化機構期間または無効化機構期間の一部分に対応するとき、ＵＥ１０１０は、アプリケーションに対して電力節約機構を無効化し得、無効化機構パラメータに関係する情報について監視し得る（たとえば、ＵＥ１０１０がアイドルモードから出る回数、アプリケーションによってトリガされたＲＲＣ接続の数などをカウントし得る）。別の例として、学習時間期間１０２０が、有効化機構期間または有効化機構期間の一部分に対応するとき、ＵＥ１０１０は、アプリケーションに対して電力節約機構を有効化し得、有効化機構パラメータに関係する情報について監視し得る。
【０１３５】
[00154]  いくつかの態様では、ＵＥ１０１０は、学習時間期間１０２０の持続時間が最小しきい値（ＴMIN_IDLEとして示される）を満たすか否かを決定し得る。学習時間期間１０２０の持続時間が短すぎる（たとえば、最小しきい値未満である）場合、ＵＥ１０１０は、性能パラメータ（たとえば、ＵＥウェイクアップ、ＲＲＣ接続など）に関係するいかなる情報をも検出しないことがあり、そのことが不正確な性能パラメータを生じ得る。したがって、学習時間期間１０２０の持続時間が最小しきい値を満たさない場合、ＵＥ１０１０は、性能パラメータを計算するために、学習時間期間１０２０の間に取得されたいかなる情報をも使用しなくてよい。学習時間期間１０２０の持続時間が最小しきい値を満たす場合、ＵＥ１０１０は、性能パラメータを計算するために、学習時間期間１０２０の間に取得された情報を使用し得る。
【０１３６】
[00155]  追加または代替として、学習時間期間１０２０の持続時間が最小しきい値を満たさない場合、ＵＥ１０１０は、図７Ａに関して上記で説明された検出しきい値（ＴDetect）に向かって持続時間をカウントしなくてよい。学習時間期間１０２０の持続時間が最小しきい値を満たす場合、ＵＥ１０１０は、検出しきい値（ＴDetect）に向かって持続時間をカウントし得る。いくつかの態様では、ＵＥ１０１０は、ＴDetectに寄与するために、学習時間のいくつかのセグメントを使用し得る。時間期間を結合する間、ＵＥ１０１０は、性能パラメータ（たとえば、ＲＲＣ接続の数など）を結合し得る。
【０１３７】
[00156]  このようにして、ＵＥ１０１０は、ユーザがＵＥ１０１０をアクティブに使用中ではない時間期間の間に、アプリケーションがユーザアクティビティに基づいてアクションを実行し終えた時間期間の間に、および／または、有意味な情報を取得するために十分な持続時間のものである時間期間の間に、取得された情報に少なくとも部分的に基づいて、性能パラメータが決定されることを保証し得る。追加または代替として、ＵＥ１０１０は、図１０に関して以下で説明されるように、アプリケーションのための性能パラメータが、アプリケーションが実行中である時間期間の間に決定されることを保証し得る。
【０１３８】
[00157]  上で示されたように、図１０は一例として提供される。他の例が可能であり、図１０に関して説明されたものとは異なり得る。
【０１３９】
[00158]  図１１は、本開示の様々な態様による、アプリケーションが実行中であるか否かを決定することに少なくとも部分的に基づいて、アプリケーションのための学習時間期間を決定する例１１００を示す図である。
【０１４０】
[00159]  図１１に示されているように、ＵＥ１１１０は、図７の電力節約構成要素７２０など、電力節約構成要素を含み得る。電力節約構成要素７２０は、ユーザがＵＥ１１１０をアクティブに使用中ではないとき、およびアプリケーションがＵＥ１１１０上で実行中であるとき、アプリケーションのための１つまたは複数の性能パラメータに関係する情報について監視し得る。ＵＥ１１１０は、本開示の１つまたは複数の他の図に関して説明されるＵＥに対応し得る。図１１にさらに示されているように、ＵＥ１１１０は、本明細書の他の場所で説明されたように、１つまたは複数の学習時間期間１１２０、および／あるいは１つまたは複数の非学習時間期間１１３０を特定し得る。たとえば、学習時間期間１１２０は、図１０に関して上記で説明された、学習時間期間９２０に対応し得る。追加または代替として、非学習時間期間１１３０は、図１０に関して上記で説明された、非学習時間期間９３０に対応し得る。
【０１４１】
[00160]  いくつかの態様では、学習時間期間１１２０は、その間に、そのための性能パラメータが決定されるべきであるアプリケーションがＵＥ１１１０上で実行中である、アプリケーション学習時間期間１１４０を含み得る。たとえば、ＵＥ１１１０は、（たとえば、学習時間期間１１２０の間に）アプリケーションが実行中であるか否かを決定するために、ＵＥ１１１０および／またはアプリケーションを周期的に監視し得る。たとえば、ＵＥ１１１０は、（たとえば、設定された間隔において、ランダムな間隔においてなど）１つまたは複数のアプリケーションの状態を周期的にクエリ（query）し得る。アプリケーション学習時間期間１１４０は、ユーザがＵＥ１１１０をアクティブに使用中ではないとき（たとえば、図１０に関して上記で説明されたユーザアクティビティトリガに基づいて、学習時間期間１１２０の間に）、および、アプリケーションがＵＥ１１１０上で実行中であるとき（たとえば、ＵＥ１１１０が、アプリケーションが実行中であることを検出するとき）、開始し得る。
【０１４２】
[00161]  いくつかの態様では、アプリケーション学習時間期間１１４０は、アプリケーションが、しきい値時間量（たとえば、実行しきい値）の間に、ＵＥ１１１０上で実行中であったとき、開始し得る。たとえば、ＵＥ１１１０は、ユーザがＵＥ１１１０をアクティブに使用中ではないと決定し得、アプリケーションがしきい値時間量の間にＵＥ１１１０上で実行中であったと決定し得る。これらの決定に少なくとも部分的に基づいて、ＵＥ１１１０は、本明細書の他の場所で説明されたように、アプリケーションに関連付けられた１つまたは複数の性能パラメータに関係する情報について監視し得る。このようにして、ＵＥ１１１０は、アプリケーションが実行中であるとき、アプリケーションを監視することによって、アプリケーションに対して電力節約機構を有効化するか無効化するかを決定し得る。そうでない場合、アプリケーションが実行中ではなかった場合、ＵＥ１１１０は、アプリケーションに対して電力節約機構を有効化するか無効化するかを決定するために、関連情報を有していないことがある。
【０１４３】
[00162]  いくつかの態様では、アプリケーションのための、アプリケーション学習時間期間１１４０は、アプリケーションがＵＥ１１１０上で実行することを停止するとき、終了し得る。追加または代替として、アプリケーション学習時間期間１１４０は、ユーザがＵＥ１１１０をアクティブに使用中であるとき（たとえば、学習時間期間１１２０が終了するとき）、終了し得る。たとえば、ＵＥ１１１０は、ユーザがＵＥ１１１０をアクティブに使用中であると決定し得るか、または、アプリケーションがＵＥ１１１０上で実行することを停止したと決定し得る。これらの決定のうちの少なくとも１つに基づいて、ＵＥ１１１０は、本明細書の他の場所で説明されたように、アプリケーションに関連付けられた１つまたは複数の性能パラメータに関係する情報について監視することを停止し得る。このようにして、ＵＥ１１１０は、アプリケーションが実行中であるとき、アプリケーションを監視することによって、アプリケーションに対して電力節約機構を有効化するか無効化するかを決定し得る。
【０１４４】
[00163]  上で示されたように、図１１は一例として提供される。他の例が可能であり、図１１に関して説明されたものとは異なり得る。
【０１４５】
[00164]  図１２は、本開示の様々な態様による、アプリケーションに対して電力節約機構を有効化するか無効化するかを決定するための例示的なプロセス１２００のフロー図である。いくつかの態様では、図１２の１つまたは複数のプロセスブロックは、本明細書で説明される１つまたは複数のＵＥによって実行され得る。いくつかの態様では、図１２の１つまたは複数のプロセスブロックは、別のデバイス、またはＵＥとは別個のもしくはＵＥを含む複数のデバイスによって実行され得る。
【０１４６】
[00165]  図１２に示されているように、プロセス１２００は、電力節約機構が無効化される第１の時間期間の間に、ＵＥ上で実行しているアプリケーションに関連付けられた第１の性能パラメータを決定することを含み得る（ブロック１２１０）。たとえば、一態様では、電力節約構成要素７２０および／または決定構成要素７３０は、ＵＥ上で実行しているアプリケーションに関連付けられた第１の性能パラメータを決定し得る。電力節約構成要素７２０および／または決定構成要素７３０は、電力節約機構がアプリケーションに対して無効化される第１の時間期間の間に、第１の性能パラメータを決定し得る。いくつかの態様では、第１の性能パラメータは、無効化機構パラメータと呼ばれることがあり、その理由は、第１の性能パラメータが、電力節約機構が無効化される時間期間の間に決定されるからである。いくつかの態様では、電力節約機構は、（たとえば、複数のモードのうちの）電力節約アプリケーションのモードであり得る。この場合、ＵＥおよび／または決定構成要素７３０は、第１の時間期間の間にモードを無効化し得る。
【０１４７】
[00166]  第１の性能パラメータは、たとえば、ＵＥがアイドルモードから出る回数（たとえば、ＵＥがアイドルモードから出ることを、アプリケーションが引き起こす回数）、ＵＥがＲＲＣ接続モードに入る回数（たとえば、ＵＥがＲＲＣ接続モードに入ることを、アプリケーションが引き起こす回数）、アプリケーションによってトリガされたＲＲＣ接続の数、受信されたメッセージ（たとえば、接続性を検証するためにサーバに周期的に送られたテストメッセージ）の数などを含み得る。いくつかの態様では、ＵＥは、上記のパラメータまたは他のパラメータの組合せを使用し得る。追加または代替として、ＵＥおよび／または電力節約構成要素７２０は、事前構成、別のデバイス（たとえば、ｅＮＢ）から受信された情報、アプリケーションのタイプなどに少なくとも部分的に基づいて、使用するべきパラメータを選択し得る。
【０１４８】
[00167]  いくつかの態様では、電力節約構成要素７２０および／または決定構成要素７３０は、第１の時間期間の持続時間がしきい値を満たすと決定し得、第１の時間期間の持続時間がしきい値を満たすと決定することに少なくとも部分的に基づいて、第１の性能パラメータを決定し得る。追加または代替として、第１の時間期間は、その間にユーザがＵＥをアクティブに使用中ではない時間期間を含み得る。
【０１４９】
[00168]  いくつかの態様では、第１の時間期間は、その間にユーザがＵＥをアクティブに使用中ではない少なくとも１つの学習時間期間を含み得る。いくつかの態様では、学習時間期間は、マージン時間期間の満了後に開始し得る。マージン時間期間は、ユーザがＵＥをアクティブに使用中ではないことを検出した後、開始し得る。いくつかの態様では、学習時間期間の持続時間は、しきい値を満たし得る。いくつかの態様では、電力節約構成要素７２０および／または決定構成要素７３０は、アプリケーションが学習時間期間の間に実行中であるか否かを周期的に決定し得る。追加または代替として、アプリケーションは、第１の時間期間の間に実行中であり得る。追加または代替として、第１の時間期間は、その間にユーザがＵＥをアクティブに使用中ではない、および、その間にアプリケーションがＵＥ上で実行中である、複数の時間期間を含み得る。
【０１５０】
[00169]  いくつかの態様では、電力節約構成要素７２０および／または決定構成要素７３０は、ユーザがＵＥをアクティブに使用中ではないと決定し得、アプリケーションが、しきい値時間量の間に１つのそのＵＥを実行中であったと決定し得る。これらの決定のうちの一方または両方に少なくとも部分的に基づいて、ＵＥは、第１の性能パラメータに関係する情報について監視し得る。ＵＥは、第１の性能パラメータに関係する情報について監視することに少なくとも部分的に基づいて、第１の性能パラメータを決定し得る。いくつかの態様では、ＵＥは、ユーザがＵＥをアクティブに使用中であること、または、アプリケーションがＵＥ上で実行することを停止したことを決定し得る。これらの決定のうちの一方または両方に少なくとも部分的に基づいて、ＵＥは、第１の性能パラメータに関係する情報について監視することを停止し得る。
【０１５１】
[00170]  図１２に示されているように、プロセス１２００は、電力節約機構が有効化される第２の時間期間の間に、ＵＥ上で実行しているアプリケーションに関連付けられた第２の性能パラメータを決定することを含み得る（ブロック１２２０）。たとえば、一態様では、電力節約構成要素７２０および／または決定構成要素７３０は、ＵＥ上で実行しているアプリケーションに関連付けられた第２の性能パラメータを決定し得る。ＵＥは、電力節約機構がアプリケーションに対して有効化される第２の時間期間の間に、第２の性能パラメータを決定し得る。いくつかの態様では、第２の性能パラメータは、有効化機構パラメータと呼ばれることがあり、その理由は、第２の性能パラメータが、電力節約機構が有効化される時間期間の間に決定されるからである。いくつかの態様では、電力節約機構は、（たとえば、複数のモードのうちの）電力節約アプリケーションのモードであり得る。この場合、ＵＥおよび／または決定構成要素７３０は、第１の時間期間の間にモードを有効化し得る。
【０１５２】
[00171]  第２の性能パラメータは、たとえば、ＵＥがアイドルモードから出る回数（たとえば、ＵＥがアイドルモードから出ることを、アプリケーションが引き起こす回数）、ＵＥがＲＲＣ接続モードに入る回数（たとえば、ＵＥがＲＲＣ接続モードに入ることを、アプリケーションが引き起こす回数）、アプリケーションによってトリガされたＲＲＣ接続の数などを含み得る。いくつかの態様では、ＵＥは、上記のパラメータまたは他のパラメータの組合せを使用し得る。追加または代替として、電力節約構成要素７２０および／または決定構成要素７３０は、事前構成、別のデバイス（たとえば、ｅＮＢ）から受信された情報、アプリケーションのタイプなどに少なくとも部分的に基づいて、使用するべきパラメータを選択し得る。いくつかの態様では、電力節約構成要素７２０および／または決定構成要素７３０は、（たとえば、同じタイプのパラメータが比較されるように）第１の性能パラメータおよび第２の性能パラメータに対して、同じタイプのパラメータを使用し得る。
【０１５３】
[00172]  いくつかの態様では、電力節約構成要素７２０および／または決定構成要素７３０は、第２の時間期間の持続時間がしきい値を満たすと決定し得、第２の時間期間の持続時間がしきい値を満たすと決定することに少なくとも部分的に基づいて、第２の性能パラメータを決定し得る。追加または代替として、第２の時間期間は、その間にユーザがＵＥをアクティブに使用中ではない時間期間を含み得る。
【０１５４】
[00173]  いくつかの態様では、第２の時間期間は、その間にユーザがＵＥをアクティブに使用中ではない少なくとも１つの学習時間期間を含み得る。いくつかの態様では、学習時間期間は、マージン時間期間の満了後に開始し得る。マージン時間期間は、ユーザがＵＥをアクティブに使用中ではないことを検出した後、開始し得る。いくつかの態様では、学習時間期間の持続時間は、しきい値を満たし得る。いくつかの態様では、電力節約構成要素７２０および／または決定構成要素７３０は、アプリケーションが学習時間期間の間に実行中であるか否かを周期的に決定し得る。追加または代替として、アプリケーションは、第２の時間期間の間に実行中であり得る。追加または代替として、第２の時間期間は、その間にユーザがＵＥをアクティブに使用中ではない、および、その間にアプリケーションがＵＥ上で実行中である、複数の時間期間を含み得る。
【０１５５】
[00174]  いくつかの態様では、電力節約構成要素７２０および／または決定構成要素７３０は、ユーザがＵＥをアクティブに使用中ではないと決定し得、アプリケーションが、しきい値時間量の間に１つのそのＵＥを実行中であったと決定し得る。これらの決定のうちの一方または両方に少なくとも部分的に基づいて、ＵＥは、第２の性能パラメータに関係する情報について監視し得る。電力節約構成要素７２０および／または決定構成要素７３０は、第２の性能パラメータに関係する情報について監視することに少なくとも部分的に基づいて、第２の性能パラメータを決定し得る。いくつかの態様では、電力節約構成要素７２０および／または決定構成要素７３０は、ユーザがＵＥをアクティブに使用中であること、または、アプリケーションがＵＥ上で実行することを停止したことを決定し得る。これらの決定のうちの一方または両方に少なくとも部分的に基づいて、ＵＥは、第２の性能パラメータに関係する情報について監視することを停止し得る。
【０１５６】
[00175]  図１２に示されているように、プロセス１２００は、第１の性能パラメータと第２の性能パラメータとを比較することを含み得る（ブロック１２３０）。たとえば、一態様では、電力節約構成要素７２０および／または比較構成要素７３６は、第１の性能パラメータと第２の性能パラメータとを比較し得る。いくつかの態様では、電力節約構成要素７２０および／または比較構成要素７３６は、第１の性能パラメータが第２の性能パラメータよりも大きいか、それよりも小さいか、それに等しいかを決定するために、それらの性能パラメータを比較し得る。ＵＥおよび／または比較構成要素７３６は、アプリケーションに対して電力節約機構を有効化するか無効化するかを決定するために、この比較を使用し得る。
【０１５７】
[00176]  いくつかの態様では、電力節約構成要素７２０および／または比較構成要素７３６は、比較を実行する前に、重み値を使用して、第１の性能パラメータおよび／または第２の性能パラメータを修正し得る。この場合、および一例として、電力節約構成要素７２０および／または比較構成要素７３６は、重み付けされた第１の性能パラメータと第２の性能パラメータとを比較し得る。別の例として、電力節約構成要素７２０および／または比較構成要素７３６は、第１の性能パラメータと重み付けされた第２の性能パラメータとを比較し得る。別の例として、ＵＥは、重み付けされた第１の性能パラメータと重み付けされた第２の性能パラメータとを比較し得る。
【０１５８】
[00177]  図１２に示されているように、プロセス１２００は、第１の性能パラメータと第２の性能パラメータとを比較することに少なくとも部分的に基づいて、アプリケーションに対して電力節約機構を有効化するか無効化するかを決定することを含み得る（ブロック１２４０）。たとえば、一態様では、電力節約構成要素７２０および／または比較構成要素７３６は、第１の性能パラメータと第２の性能パラメータとを比較し得、アプリケーションに対して電力節約機構を有効化するか無効化するかを決定するために、この比較を使用し得る。追加または代替として、ＵＥは、サーバに比較の結果を報告し得る。
【０１５９】
[00178]  追加または代替として、一態様では、電力節約構成要素７２０および／または比較構成要素７３６は、（たとえば、第１の性能パラメータと第２の性能パラメータとを互いに比較することなしに）第１の性能パラメータと第２の性能パラメータとに少なくとも部分的に基づいて、アプリケーションに対して電力節約機構を有効化するか無効化するかを決定し得る。たとえば、ＵＥおよび／または比較構成要素７３６は、第１の性能パラメータと第２の性能パラメータとをしきい値と比較し得、決定構成要素７３０は、第１の性能パラメータと第２の性能パラメータとをしきい値と比較することに少なくとも部分的に基づいて、アプリケーションに対して電力節約機構を有効化するか無効化するかを決定し得る。
【０１６０】
[00179]  いくつかの態様では、ＵＥは、アプリケーションがＵＥ上でインストールまたは更新されたことを検出することに少なくとも部分的に基づいて、アプリケーションに対して電力節約機構を有効化するか無効化するかを評価し得る。たとえば、ＵＥおよび／または電力節約構成要素７２０は、アプリケーションがＵＥ上でインストールまたは更新されたことを検出し得る。この検出に少なくとも部分的に基づいて、電力節約構成要素７２０および／または比較構成要素７３６は、第１の性能パラメータと第２の性能パラメータとを決定し得、第１の性能パラメータと第２の性能パラメータとに少なくとも部分的に基づいて、アプリケーションに対して電力節約機構を有効化するか無効化するかを決定し得る。
【０１６１】
[00180]  追加または代替として、一態様では、電力節約構成要素７２０および／または比較構成要素７３６は、電力節約機構を有効化するか無効化するかの以前の決定から、しきい値時間期間が経過したと決定することに少なくとも部分的に基づいて、アプリケーションに対して電力節約機構を有効化するか無効化するかを評価し得る。たとえば、電力節約構成要素７２０および／または比較構成要素７３６は、時間期間が経過したと決定し得る。この決定に少なくとも部分的に基づいて、電力節約構成要素７２０および／または比較構成要素７３６は、第１の性能パラメータと第２の性能パラメータとを決定し得、第１の性能パラメータと第２の性能パラメータとに少なくとも部分的に基づいて、アプリケーションに対して電力節約機構を有効化するか無効化するかを決定し得る。
【０１６２】
[00181]  図１２に示されているように、プロセス１２００は、ＵＥによって、アプリケーションに対して電力節約機構を有効化するか無効化するかを決定することに少なくとも部分的に基づいて、アプリケーションに対して電力節約機構を有効化または無効化することを含み得る（ブロック１２５０）。たとえば、一態様では、電力節約構成要素７２０および／または決定構成要素７３０は、アプリケーションに対して電力節約機構を有効化するか無効化するかを決定することに少なくとも部分的に基づいて、アプリケーションに対して電力節約機構を有効化し得る。別の例として、電力節約構成要素７２０および／または決定構成要素７３０は、アプリケーションに対して電力節約機構を有効化するか無効化するかを決定することに少なくとも部分的に基づいて、アプリケーションに対して電力節約機構を無効化し得る。いくつかの態様では、電力節約構成要素７２０および／または決定構成要素７３０は、時間期間の間に第１のアプリケーションに対して電力節約機構を有効化し得、時間期間の間に第２のアプリケーションに対して電力節約機構を無効化し得る。
【０１６３】
[00182]  このようにして、ＵＥおよび／または電力節約構成要素７２０は、アプリケーション性能に少なくとも部分的に基づいて、アプリケーションに対して電力節約機構を有効化するか無効化するかを動的に決定し得る。性能に基づいて、異なるアプリケーションに対して電力節約機構を選択的に有効化または無効化することによって、ＵＥは、電力消費を低減し、電力を節約し得る。
【０１６４】
[00183]  図１２は、プロセス１２００の例示的なブロックを示すが、いくつかの態様では、プロセス１２００は、追加のブロック、より少数のブロック、異なるブロック、または図１２に示されるものとは異なるように構成されたブロックを含み得る。追加または代替として、プロセス１２００のブロックのうちの２つ以上が、並列に実行され得る。
【０１６５】
[00184]  図１３は、本開示の様々な態様による、電力節約機構がアプリケーションに対して無効化された後、アプリケーションに対して電力節約機構を有効化するか無効化するかを再評価するための例示的なプロセス１３００のフロー図である。いくつかの態様では、図１３の１つまたは複数のプロセスブロックは、本明細書で説明される１つまたは複数のＵＥによって実行され得る。いくつかの態様では、図１３の１つまたは複数のプロセスブロックは、別のデバイス、またはＵＥとは別個のもしくはＵＥを含む複数のデバイスによって実行され得る。
【０１６６】
[00185]  図１３に示されているように、プロセス１３００は、第１の時間においてアプリケーションに対して電力節約機構を無効化することを含み得る（ブロック１３１０）。たとえば、一態様では、電力節約構成要素７２０および／または決定構成要素７３０は、図１２に関して上記で説明されたように、アプリケーションに対して電力節約機構を有効化するか無効化するかの評価に少なくとも部分的に基づいて、アプリケーションに対して電力節約機構を無効化し得る。電力節約構成要素７２０および／または決定構成要素７３０は、評価の実行後など、第１の時間においてアプリケーションに対して電力節約機構を無効化し得る。
【０１６７】
[00186]  図１３に示されているように、プロセス１３００は、アプリケーションに対して電力節約機構を無効化した後、アプリケーションに対して電力節約機構を有効化するか無効化するかを再評価するように決定することを含み得る（ブロック１３２０）。たとえば、一態様では、電力節約構成要素７２０および／または決定構成要素７３０は、第１の時間の後（たとえば、電力節約機構がアプリケーションに対して無効化された後）、アプリケーションに対して電力節約機構を再評価するように決定し得る。いくつかの態様では、アプリケーションが更新され得、電力節約構成要素７２０および／または決定構成要素７３０は、アプリケーションが更新されたと決定することに少なくとも部分的に基づいて、再評価するように決定し得る。追加または代替として、アプリケーションに対して電力節約機構を有効化するか無効化するかの以前の評価から、しきい値時間量が経過していることがあり、電力節約構成要素７２０および／または決定構成要素７３０は、しきい値時間量が経過したと決定することに少なくとも部分的に基づいて、再評価するように決定し得る。追加または代替として、電力節約構成要素７２０および／または決定構成要素７３０は、ＵＥのバッテリーレベル（たとえば、バッテリー寿命の残りの量）、電力節約モードに入るための要求などに少なくとも部分的に基づいて、再評価するように決定し得る。
【０１６８】
[00187]  図１３に示されているように、プロセス１３００は、電力節約機構が無効化される第３の時間期間の間に、アプリケーションに関連付けられた第３の性能パラメータを決定することを含み得る（ブロック１３３０）。たとえば、一態様では、電力節約構成要素７２０および／または決定構成要素７３０は、アプリケーションに関連付けられた第３の性能パラメータを決定し得る。電力節約構成要素７２０および／または決定構成要素７３０は、電力節約機構がアプリケーションに対して無効化される第３の時間期間の間に、第３の性能パラメータを決定し得る。いくつかの態様では、第３の性能パラメータは、無効化機構パラメータであり得、その理由は、第３の性能パラメータが、電力節約機構が無効化される時間期間の間に決定されるからである。いくつかの態様では、電力節約構成要素７２０および／または決定構成要素７３０は、図１２のブロック１２１０に関して上記で説明された、第１の性能パラメータを決定することと同様の方法で、第３の性能パラメータを決定し得る。
【０１６９】
[00188]  第３の性能パラメータは、たとえば、ＵＥがアイドルモードから出る回数（たとえば、ＵＥがアイドルモードから出ることを、アプリケーションが引き起こす回数）、ＵＥがＲＲＣ接続モードに入る回数（たとえば、ＵＥがＲＲＣ接続モードに入ることを、アプリケーションが引き起こす回数）、アプリケーションによってトリガされたＲＲＣ接続の数などを含み得る。いくつかの態様では、第３の性能パラメータは、以前に評価された同じタイプの性能パラメータであり得る。
【０１７０】
[00189]  図１３に示されているように、プロセス１３００は、電力節約機構が有効化される第４の時間期間の間に、アプリケーションに関連付けられた第４の性能パラメータを決定することを含み得る（ブロック１３４０）。たとえば、一態様では、電力節約構成要素７２０および／または決定構成要素７３０は、アプリケーションに関連付けられた第４の性能パラメータを決定し得る。ＵＥは、電力節約機構がアプリケーションに対して有効化される第４の時間期間の間に、第４の性能パラメータを決定し得る。いくつかの態様では、第４の性能パラメータは、有効化機構パラメータであり得、その理由は、第４の性能パラメータが、電力節約機構が有効化される時間期間の間に決定されるからである。いくつかの態様では、電力節約構成要素７２０および／または決定構成要素７３０は、図１２のブロック１２２０に関して上記で説明された、第２の性能パラメータを決定することと同様の方法で、第４の性能パラメータを決定し得る。
【０１７１】
[00190]  第４の性能パラメータは、たとえば、ＵＥがアイドルモードから出る回数（たとえば、ＵＥがアイドルモードから出ることを、アプリケーションが引き起こす回数）、ＵＥがＲＲＣ接続モードに入る回数（たとえば、ＵＥがＲＲＣ接続モードに入ることを、アプリケーションが引き起こす回数）、アプリケーションによってトリガされたＲＲＣ接続の数などを含み得る。いくつかの態様では、第４の性能パラメータは、以前に評価された同じタイプの性能パラメータであり得る。追加または代替として、第４の性能パラメータは、第３の性能パラメータと同じタイプのパラメータであり得る。
【０１７２】
[00191]  図１３に示されているように、プロセス１３００は、再評価するように決定することに少なくとも部分的に基づいて、第３の性能パラメータと第４の性能パラメータとに少なくとも部分的に基づいて、第２の時間において、アプリケーションに対して電力節約機構を有効化するか無効化するかを決定することを含み得る（ブロック１３５０）。たとえば、一態様では、電力節約構成要素７２０および／または決定構成要素７３０は、図１２のブロック１２４０に関して上記で説明されたものと同様の方法で、第３の性能パラメータと第４の性能パラメータとに少なくとも部分的に基づいて、（たとえば、第１の時間後の）第２の時間において、電力節約機構を有効化するか無効化するかを決定し得る。
【０１７３】
[00192]  このようにして、ＵＥは、たとえば、電力節約機構、アプリケーション、および／またはＵＥの挙動が変化した可能性があるとき、アプリケーションに対して電力節約機構を有効化するか無効化するかを再評価し得る。性能に基づいて、異なるアプリケーションに対して経時的に電力節約機構を選択的に有効化または無効化することによって、ＵＥは、電力消費を低減し、電力を節約し得る。
【０１７４】
[00193]  図１３は、プロセス１３００の例示的なブロックを示すが、いくつかの態様では、プロセス１３００は、追加のブロック、より少数のブロック、異なるブロック、または図１３に示されるものとは異なるように構成されたブロックを含み得る。追加または代替として、プロセス１３００のブロックのうちの２つ以上が、並列に実行され得る。
【０１７５】
[00194]  図１４は、本開示の様々な態様による、電力節約機構がアプリケーションに対して有効化された後、アプリケーションに対して電力節約機構を有効化するか無効化するかを再評価するための例示的なプロセス１４００のフロー図である。いくつかの態様では、図１４の１つまたは複数のプロセスブロックは、本明細書で説明される１つまたは複数のＵＥによって実行され得る。いくつかの態様では、図１４の１つまたは複数のプロセスブロックは、別のデバイス、またはＵＥとは別個のもしくはＵＥを含む複数のデバイスによって実行され得る。
【０１７６】
[00195]  図１４に示されているように、プロセス１４００は、第１の時間においてアプリケーションに対して電力節約機構を有効化することを含み得る（ブロック１４１０）。たとえば、一態様では、電力節約構成要素７２０および／または決定構成要素７３０は、図１２に関して上記で説明されたように、アプリケーションに対して電力節約機構を有効化するか無効化するかの評価に少なくとも部分的に基づいて、アプリケーションに対して電力節約機構を有効化し得る。電力節約構成要素７２０および／または決定構成要素７３０は、評価の実行後など、第１の時間においてアプリケーションに対して電力節約機構を有効化し得る。
【０１７７】
[00196]  図１４に示されているように、プロセス１４００は、アプリケーションに対して電力節約機構を有効化した後、アプリケーションに対して電力節約機構を有効化するか無効化するかを再評価するように決定することを含み得る（ブロック１４２０）。たとえば、一態様では、電力節約構成要素７２０および／または決定構成要素７３０は、第１の時間の後（たとえば、電力節約機構がアプリケーションに対して有効化された後）、アプリケーションに対して電力節約機構を再評価するように決定し得る。いくつかの態様では、アプリケーションが更新され得、電力節約構成要素７２０および／または決定構成要素７３０は、アプリケーションが更新されたと決定することに少なくとも部分的に基づいて、再評価するように決定し得る。追加または代替として、アプリケーションに対して電力節約機構を有効化するか無効化するかの以前の評価から、しきい値時間量が経過していることがあり、電力節約構成要素７２０および／または決定構成要素７３０は、しきい値時間量が経過したと決定することに少なくとも部分的に基づいて、再評価するように決定し得る。
【０１７８】
[00197]  図１４に示されているように、プロセス１４００は、電力節約機構が有効化される第３の時間期間の間に、アプリケーションに関連付けられた第３の性能パラメータを決定することを含み得る（ブロック１４３０）。たとえば、一態様では、電力節約構成要素７２０および／または決定構成要素７３０は、アプリケーションに関連付けられた第３の性能パラメータを決定し得る。電力節約構成要素７２０および／または決定構成要素７３０は、電力節約機構がアプリケーションに対して有効化される第３の時間期間の間に、第３の性能パラメータを決定し得る。いくつかの態様では、第３の性能パラメータは、有効化機構パラメータであり得、その理由は、第３の性能パラメータが、電力節約機構が有効化される時間期間の間に決定されるからである。いくつかの態様では、電力節約構成要素７２０および／または決定構成要素７３０は、図１２のブロック１２２０に関して上記で説明された、第２の性能パラメータを決定することと同様の方法で、第３の性能パラメータを決定し得る。
【０１７９】
[00198]  第３の性能パラメータは、たとえば、ＵＥがアイドルモードから出る回数（たとえば、ＵＥがアイドルモードから出ることを、アプリケーションが引き起こす回数）、ＵＥがＲＲＣ接続モードに入る回数（たとえば、ＵＥがＲＲＣ接続モードに入ることを、アプリケーションが引き起こす回数）、アプリケーションによってトリガされたＲＲＣ接続の数などを含み得る。いくつかの態様では、第３の性能パラメータは、以前に評価された同じタイプの性能パラメータであり得る。追加または代替として、第３の性能パラメータは、第２の性能パラメータと同じタイプのパラメータであり得る。
【０１８０】
[00199]  図１４に示されているように、プロセス１４００は、第３の性能パラメータと第２の性能パラメータとを比較することを含み得る（ブロック１４４０）。たとえば、一態様では、電力節約構成要素７２０および／または比較構成要素７３６は、図１２に関して上記で説明されたように決定された第２の性能パラメータと、図１４のブロック１４３０に関して上記で説明されたように決定された第３の性能パラメータとを比較し得る。言い換えれば、電力節約構成要素７２０および／または比較構成要素７３６は、前の時間期間の間に決定された第１の有効化機構パラメータと、後の時間期間の間に決定された第２の有効化機構パラメータとを比較し得る。いくつかの態様では、電力節約構成要素７２０および／または比較構成要素７３６は、第２の性能パラメータが第３の性能パラメータよりも大きいか、それよりも小さいか、それに等しいかを決定するために、それらの性能パラメータを比較し得る。ＵＥおよび／または電力節約構成要素７２０は、アプリケーションに対して電力節約機構を有効化するか無効化するかを決定するために、この比較を使用し得る。
【０１８１】
[00200]  いくつかの態様では、ＵＥおよび／または電力節約構成要素７２０は、重み値を使用して、第２の性能パラメータおよび／または第３の性能パラメータを修正し得る。この場合、および一例として、ＵＥは、重み付けされた第２の性能パラメータと第３の性能パラメータとを比較し得る。別の例として、電力節約構成要素７２０および／または比較構成要素７３６は、第２の性能パラメータと重み付けされた第３の性能パラメータとを比較し得る。別の例として、ＵＥは、重み付けされた第２の性能パラメータと重み付けされた第３の性能パラメータとを比較し得る。
【０１８２】
[00201]  図１４に示されているように、プロセス１４００は、再評価するように決定することに少なくとも部分的に基づいて、第３の性能パラメータと第２の性能パラメータとに少なくとも部分的に基づいて、第２の時間において、アプリケーションに対して電力節約機構を有効化するか無効化するかを決定することを含み得る（ブロック１４５０）。たとえば、一態様では、電力節約構成要素７２０および／または決定構成要素７３０は、第３の性能パラメータと第２の性能パラメータとを比較することなどによって、第３の性能パラメータと第２の性能パラメータとに少なくとも部分的に基づいて、（たとえば、第１の時間後の）第２の時間において、電力節約機構を有効化するか無効化するかを決定し得る。
【０１８３】
[00202]  いくつかの態様では、電力節約構成要素７２０および／または決定構成要素７３０は、第２の性能パラメータが第３の性能パラメータ以上であるときなど、電力節約機構をアプリケーションに対して有効化されたままに保つように決定し得る。いくつかの態様では、電力節約構成要素７２０および／または決定構成要素７３０は、第３の性能パラメータが第２の性能パラメータ以上であるときなど、（たとえば、図１２に関して上記で説明されたプロセス１２００を使用して）完全再評価を実行するように決定し得る。
【０１８４】
[00203]  このようにして、ＵＥおよび／または電力節約構成要素７２０は、たとえば、電力節約機構、アプリケーション、および／またはＵＥの挙動が変化した可能性があるとき、アプリケーションに対して電力節約機構を有効化するか無効化するかを再評価し得る。性能に少なくとも部分的に基づいて、異なるアプリケーションに対して経時的に電力節約機構を選択的に有効化または無効化することによって、ＵＥは、電力消費を低減し、電力を節約し得る。
【０１８５】
[00204]  図１４は、プロセス１４００の例示的なブロックを示すが、いくつかの態様では、プロセス１４００は、追加のブロック、より少数のブロック、異なるブロック、または図１４に示されるものとは異なるように構成されたブロックを含み得る。追加または代替として、プロセス１４００のブロックのうちの２つ以上が、並列に実行され得る。
【０１８６】
[00205]  いくつかの態様では、ＵＥおよび／または電力節約構成要素７２０は、個々のアプリケーションまたは複数のアプリケーションのために、（たとえば、図１２に関して説明されたような）評価、および／または（たとえば、図１３および図１４に関して説明されたような）再評価を実行し得る。たとえば、ＵＥおよび／または電力節約構成要素７２０は、ＵＥ上にインストールされたすべてのアプリケーションのために、またはＵＥ上にインストールされたアプリケーションのサブセットのために、評価および／または再評価を実行し得る。いくつかの態様では、ＵＥおよび／または電力節約構成要素７２０は、ユーザ入力、アプリケーション（たとえば、最大電力消費をもつアプリケーション）の電力消費などに少なくとも部分的に基づいて、評価および／または再評価のためのアプリケーションのサブセットを特定し得る。
【０１８７】
[00206]  図１５は、電力節約構成要素７２０と同じまたは同様であり得る、電力節約構成要素１５２０を含む、例示的な装置１５０２内の異なる手段／構成要素間のデータフローを示す概念データフロー図１５００である。装置１５０２は、ＵＥ１１５図１および図７を含み得る、ＵＥであり得る。装置１５０２は、一態様では、第１の性能パラメータおよび第２の性能パラメータなど、１つまたは複数の性能パラメータを構成するために、装置１５０２によって使用される情報を受信する、受信構成要素１５０４を含む。装置１５０２は、アプリケーション性能に基づいて、ユーザ機器電力節約機構を動的に有効化または無効化し得る、電力節約構成要素１５２０を含む。一態様では、装置１５０２は、電力節約構成要素１５２０がアプリケーション性能に基づいて、ユーザ機器電力節約機構を動的に有効化または無効化することに基づいて、送信スケジュールを修正する、送信構成要素１５１２をさらに含む。
【０１８８】
[00207]  装置は、図１５の上述のフローチャート中のアルゴリズムのブロックの各々を実行する追加の構成要素を含み得る。したがって、図１５の上述のフローチャート中の各ブロックは、構成要素によって実行され得、装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、あるいはそれらの何らかの組合せであり得る。
【０１８９】
[00208]  図１６は、電力節約構成要素７２０と同じまたは同様であり得る電力節約構成要素１５２０（図１５）を含む、処理システム１６１４を採用する装置１６０２’のためのハードウェア実装形態の例を示す図１６００である。処理システム１６１４は、バス１６２４によって全体的に表される、バスアーキテクチャを用いて実装され得る。バス１６２４は、処理システム１６１４の特定の適用例および全体的な設計制約に応じて、任意の数の相互接続バスとブリッジとを含み得る。バス１６２４は、プロセッサ１６０４によって表される１つまたは複数のプロセッサおよび／またはハードウェア構成要素と、構成要素１５０４、１６０８、１６１２、および１６２０と、コンピュータ可読媒体／メモリ１６０６とを含む、様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明されない。
【０１９０】
[00209]  処理システム１６１４は、トランシーバ１６１０に結合され得る。トランシーバ１６１０は、１つまたは複数のアンテナ１６２０に結合される。トランシーバ１６１０は、送信媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信構成要素１５０４に与える。加えて、トランシーバ１６１０は、処理システム１６１４、特に送信構成要素１６１２から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む全体的な処理を担う。ソフトウェアは、プロセッサ１６０４によって実行されたとき、処理システム１６１４に、任意の特定の装置のための上記で説明された様々な機能を実行させる。コンピュータ可読媒体／メモリ１６０６はまた、ソフトウェアを実行するときにプロセッサ１３０４によって操作されるデータを記憶するためにも使用され得る。処理システム１６１４は、構成要素１５２０、１５０４、１６０８、および１５１２のうちの少なくとも１つをさらに含む。それらの構成要素は、プロセッサ１６０４中で実行し、コンピュータ可読媒体／メモリ１６０６中に存在する／記憶されたソフトウェア構成要素であるか、プロセッサ１６０４に結合された１つまたは複数のハードウェア構成要素であるか、あるいはそれらの何らかの組合せであり得る。
【０１９１】
[00210]  一構成では、ワイヤレス通信のための装置１６０２／１６０２’は、ＵＥ上で実行しているアプリケーションに関連付けられた第１の性能パラメータを決定すること、および電力節約機構が無効化される第１の時間期間の間のための手段を含む。装置は、ＵＥによって、および電力節約機構が有効化される第２の時間期間の間に、ＵＥ上で実行しているアプリケーションに関連付けられた第２の性能パラメータを決定するための手段を含む。さらに、別の構成では、ワイヤレス通信のための装置１６０２／１６０２’は、ＵＥによって、第１の性能パラメータと第２の性能パラメータとに少なくとも部分的に基づいて、アプリケーションに対して電力節約機構を有効化するか無効化するかを決定するための手段を含む。
【０１９２】
[00211]  上述の手段は、上述の手段によって具陳された機能を実行するように構成された、装置１６０２、および／または装置１６０２’の処理システム１６１４の上述の構成要素のうちの１つまたは複数であり得る。上記で説明されたように、処理システム１６１４は、ＴＸプロセッサ６６６と、ＲＸプロセッサ６５６と、コントローラ／プロセッサ６８０とを含み得る。したがって、一構成では、上述の手段は、上述の手段によって具陳された機能を実行するように構成されたＴＸプロセッサ６６６と、ＲＸプロセッサ６５６と、コントローラ／プロセッサ６８０とであり得る。
【０１９３】
[00212]  本明細書で説明される技法は、有効化および無効化された電力節約機構とともに、アプリケーションおよび／またはＵＥの性能を測定することに少なくとも部分的に基づいて、アプリケーションに対して電力節約機構を有効化するか無効化するかを動的に決定し得る。このようにして、ＵＥは、アプリケーションに対して電力節約機構を有効化するか無効化するかを構成し、それによって、アプリケーションおよびＵＥ性能を高め、アプリケーションおよびＵＥ電力消費を低減し得る。
【０１９４】
[00213]  上述の開示は、例示と説明とを与えるが、網羅的であることまたは開示された厳密な形態に態様を限定することは意図されない。修正および変形が、上記の開示に照らして可能であるか、または態様の実施から得られ得る。
【０１９５】
[00214]  本明細書で使用される場合、構成要素という用語は、ハードウェア、ファームウェア、またはハードウェアとソフトウェアの組合せとして、広く解釈されることが意図される。本明細書で使用される場合、プロセッサは、ハードウェア、ファームウェア、またはハードウェアとソフトウェアの組合せにおいて実装される。
【０１９６】
[00215]  いくつかの態様は、本明細書でしきい値に関して説明されている。本明細書で使用される場合、しきい値を満たすことは、値がしきい値よりも大きいこと、しきい値以上であること、しきい値よりも小さいこと、しきい値以下であること、しきい値に等しいこと、しきい値に等しくないことなどを指すことがある。
【０１９７】
[00216]  本明細書で説明されるシステムおよび／または方法は、ハードウェア、ファームウェア、またはハードウェアとソフトウェアの組合せの様々な形式で実装され得ることが明らかであろう。これらのシステムおよび／または方法を実装するために使用される実際の専用制御ハードウェアまたはソフトウェアコードは、態様の限定ではない。したがって、本明細書では、システムおよび／または方法の動作および挙動が、特定のソフトウェアコードと無関係に説明されており、ソフトウェアおよびハードウェアは、本明細書の説明に基づいてシステムおよび／または方法を実装するように設計され得ることが理解される。
【０１９８】
[00217]  特定の特徴の組合せが特許請求の範囲において具陳されおよび／または本明細書で開示されるが、これらの組合せは、可能な態様の開示を限定するように意図されない。実際、これらの特徴の多くは、詳細には、特許請求の範囲において具陳されずおよび／または本明細書で開示されない方法で、組み合わせられ得る。以下に記載される各従属請求項は、ただ１つの請求項に直接従属し得るが、可能な態様の開示は、請求項の組の中のあらゆる他の請求項と組み合わせた各従属請求項を含む。項目のリスト「のうちの少なくとも１つ」を指す句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。
【０１９９】
[00218]  本明細書で使用されるいかなる要素、行為、または命令も、明示的にそのように説明されない限り、重要または必須と解釈されるべきではない。また、本明細書で使用される場合、冠詞「ａ」および「ａｎ」は、１つまたは複数の項目を含むことが意図され、「１つまたは複数の」と交換可能に使用されることがある。さらに、本明細書で使用される場合、「セット」および「グループ」という用語は、１つまたは複数の項目（たとえば、関連する項目、関連しない項目など）を含むことが意図され、「１つまたは複数の」と交換可能に使用されることがある。ただ１つの項目が意図される場合、「１つ（ｏｎｅ）」という用語または同様の言い回しが使用される。また、本明細書で使用される場合、「有する（ｈａｓ）」、「有する（ｈａｖｅ）」、「有する（ｈａｖｉｎｇ）」などの用語は、非限定的な用語であることが意図される。さらに、「に基づく」という句は、別段に明記されていない限り、「に少なくとも部分的に基づく」を意味することが意図される。
【図１】
2018520603.tif 000003
【図２】
2018520603.tif 000004
【図３】
2018520603.tif 000005
【図４】
2018520603.tif 000006
【図５】
2018520603.tif 000007
【図６】
2018520603.tif 000008
【図７】
2018520603.tif 000009
【図８Ａ】
2018520603.tif 000010
【図８Ｂ】
2018520603.tif 000011
【図９Ａ】
2018520603.tif 000012
【図９Ｂ】
2018520603.tif 000013
【図９Ｃ】
2018520603.tif 000014
【図９Ｄ】
2018520603.tif 000015
【図１０】
2018520603.tif 000016
【図１１】
2018520603.tif 000017
【図１２】
2018520603.tif 000018
【図１３】
2018520603.tif 000019
【図１４】
2018520603.tif 000020
【図１５】
2018520603.tif 000021
【図１６】
2018520603.tif 000022
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、および電力節約機構が無効化される第１の時間期間の間に、前記ＵＥ上で実行しているアプリケーションに関連付けられた第１の性能パラメータを決定することと、
前記ＵＥによって、および前記電力節約機構が有効化される第２の時間期間の間に、前記ＵＥ上で実行している前記アプリケーションに関連付けられた第２の性能パラメータを決定することと、
前記ＵＥによって、前記第１の性能パラメータと前記第２の性能パラメータとに少なくとも部分的に基づいて、前記アプリケーションに対して前記電力節約機構を有効化するか無効化するかを決定することと、ここにおいて、前記アプリケーションが第１のアプリケーションである、
を備え、前記電力節約機構が、第３の時間期間の間に、前記第１のアプリケーションに対して有効化され、
前記電力節約機構が、前記第３の時間期間の間に、第２のアプリケーションに対して無効化される方法。
【請求項２】
前記電力節約機構を有効化するか無効化するかを決定することが、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記ＵＥによって、前記アプリケーションに対して前記電力節約機構を有効化するか無効化するかを決定することに少なくとも部分的に基づいて、前記アプリケーションに対して前記電力節約機構を有効化または無効化することと
を備える、請求項１に記載の方法。
【請求項３】
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、請求項１に記載の方法。
【請求項４】
前記第１の性能パラメータを決定すること、または前記第２の性能パラメータを決定することが、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を備える、請求項１に記載の方法。
【請求項５】
前記第１の性能パラメータまたは前記第２の性能パラメータが、重み値を使用して修正される、請求項１に記載の方法。
【請求項６】
前記第１の時間期間および前記第２の時間期間が、その間にユーザが前記ＵＥをアクティブに使用中ではない時間期間である、請求項１に記載の方法。
【請求項７】
前記第１の性能パラメータを決定すること、および前記第２の性能パラメータを決定することが、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を備える、請求項１に記載の方法。
【請求項８】
前記第１の性能パラメータを決定すること、および前記第２の性能パラメータを決定することが、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を備える、請求項１に記載の方法。
【請求項９】
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
をさらに備える、請求項１に記載の方法。
【請求項１０】
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
をさらに備える、請求項１に記載の方法。
【請求項１１】
前記第１の時間期間および前記第２の時間期間が、その間にユーザが前記ＵＥをアクティブに使用中ではない少なくとも１つの学習時間期間を含み、前記少なくとも１つの学習時間期間が、マージン時間期間の満了後に開始し、前記マージン時間期間が、前記ユーザが前記ＵＥをアクティブに使用中ではないことを検出した後、開始し、前記少なくとも１つの学習時間期間の持続時間が、しきい値を満たし、前記方法が、
前記アプリケーションが前記少なくとも１つの学習時間期間の間に実行中であるか否かを周期的に決定することをさらに備える、請求項１に記載の方法。
【請求項１２】
前記アプリケーションが、前記第１の時間期間および前記第２の時間期間の間に実行中である、請求項１に記載の方法。
【請求項１３】
前記第１の性能パラメータを決定すること、または前記第２の性能パラメータを決定することが、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を備える、請求項１に記載の方法。
【請求項１４】
ワイヤレス通信のためのユーザ機器（ＵＥ）であって、
命令を記憶するように構成されたメモリと、
前記メモリに通信可能に結合された１つまたは複数のプロセッサと、ここにおいて、前記１つまたは複数のプロセッサが、
電力節約機構が無効化される第１の時間期間の間に、前記ＵＥ上で実行しているアプリケーションに関連付けられた第１の性能パラメータを決定することと、
前記電力節約機構が有効化される第２の時間期間の間に、前記ＵＥ上で実行している前記アプリケーションに関連付けられた第２の性能パラメータを決定することと、
前記第１の性能パラメータと前記第２の性能パラメータとに少なくとも部分的に基づいて、前記アプリケーションに対して前記電力節約機構を有効化するか無効化するかを決定することと、ここにおいて、前記アプリケーションが第１のアプリケーションである、
を行うために、前記命令を実行するように構成される、
を備え、前記電力節約機構が、第３の時間期間の間に、前記第１のアプリケーションに対して有効化され、
前記電力節約機構が、前記第３の時間期間の間に、第２のアプリケーションに対して無効化されるＵＥ。
【請求項１５】
前記１つまたは複数のプロセッサが、前記電力節約機構を有効化するか無効化するかを決定するとき、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記アプリケーションに対して前記電力節約機構を有効化するか無効化するかを決定することに少なくとも部分的に基づいて、前記アプリケーションに対して前記電力節約機構を有効化または無効化することと
を行うことになる、請求項１４に記載のＵＥ。
【請求項１６】
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、請求項１４に記載のＵＥ。
【請求項１７】
前記１つまたは複数のプロセッサが、前記第１の性能パラメータを決定するか、または前記第２の性能パラメータを決定するとき、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を行うことになる、請求項１４に記載のＵＥ。
【請求項１８】
前記第１の性能パラメータまたは前記第２の性能パラメータが、重み値を使用して修正される、請求項１４に記載のＵＥ。
【請求項１９】
前記第１の時間期間および前記第２の時間期間が、その間にユーザが前記ＵＥをアクティブに使用中ではない時間期間である、請求項１４に記載のＵＥ。
【請求項２０】
前記１つまたは複数のプロセッサが、前記第１の性能パラメータを決定し、前記第２の性能パラメータを決定するとき、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を行うことになる、請求項１４に記載のＵＥ。
【請求項２１】
前記１つまたは複数のプロセッサが、前記第１の性能パラメータを決定し、前記第２の性能パラメータを決定するとき、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を行うことになる、請求項１４に記載のＵＥ。
【請求項２２】
前記１つまたは複数のプロセッサが、
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
を行うことになる、請求項１５に記載のＵＥ。
【請求項２３】
前記１つまたは複数のプロセッサが、
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
を行うことになる、請求項１５に記載のＵＥ。
【請求項２４】
前記第１の時間期間および前記第２の時間期間が、その間にユーザが前記ＵＥをアクティブに使用中ではない少なくとも１つの学習時間期間を含み、前記少なくとも１つの学習時間期間が、マージン時間期間の満了後に開始し、前記マージン時間期間が、前記ユーザが前記ＵＥをアクティブに使用中ではないことを検出した後、開始し、前記少なくとも１つの学習時間期間の持続時間が、しきい値を満たし、前記１つまたは複数のプロセッサが、
前記アプリケーションが前記少なくとも１つの学習時間期間の間に実行中であるか否かを周期的に決定することを行うことになる、請求項１５に記載のＵＥ。
【請求項２５】
前記アプリケーションが、前記第１の時間期間および前記第２の時間期間の間に実行中である、請求項１５に記載のＵＥ。
【請求項２６】
前記１つまたは複数のプロセッサが、前記第１の性能パラメータを決定するか、または前記第２の性能パラメータを決定するとき、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、
前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を行うことになる、請求項１５に記載のＵＥ。
【請求項２７】
ワイヤレス通信のためのコンピュータ実行可能コードを記憶するコンピュータ可読媒体であって、
電力節約機構が無効化される第１の時間期間の間に、前記ＵＥ上で実行しているアプリケーションに関連付けられた第１の性能パラメータを決定するためのコードと、
前記電力節約機構が有効化される第２の時間期間の間に、前記ＵＥ上で実行している前記アプリケーションに関連付けられた第２の性能パラメータを決定するためのコードと、
前記第１の性能パラメータと前記第２の性能パラメータとに少なくとも部分的に基づいて、前記アプリケーションに対して前記電力節約機構を有効化するか無効化するかを決定するためのコードと、ここにおいて、前記アプリケーションが第１のアプリケーションである、
を備え、前記電力節約機構が、第３の時間期間の間に、前記第１のアプリケーションに対して有効化され、
前記電力節約機構が、前記第３の時間期間の間に、第２のアプリケーションに対して無効化される、コンピュータ可読媒体。
【請求項２８】
ワイヤレス通信のための装置であって、
電力節約機構が無効化される第１の時間期間の間に、ユーザ機器（ＵＥ）上で実行しているアプリケーションに関連付けられた第１の性能パラメータを決定するための手段と、
前記電力節約機構が有効化される第２の時間期間の間に、前記ＵＥ上で実行している前記アプリケーションに関連付けられた第２の性能パラメータを決定するための手段と、
前記第１の性能パラメータと前記第２の性能パラメータとに少なくとも部分的に基づいて、前記アプリケーションに対して前記電力節約機構を有効化するか無効化するかを決定するための手段と、ここにおいて、前記アプリケーションが第１のアプリケーションである、
を備え、前記電力節約機構が、第３の時間期間の間に、前記第１のアプリケーションに対して有効化され、
前記電力節約機構が、前記第３の時間期間の間に、第２のアプリケーションに対して無効化される、装置。
【手続補正２】
【補正対象書類名】明細書
【補正対象項目名】０１９９
【補正方法】変更
【補正の内容】
【０１９９】
[00218]  本明細書で使用されるいかなる要素、行為、または命令も、明示的にそのように説明されない限り、重要または必須と解釈されるべきではない。また、本明細書で使用される場合、冠詞「ａ」および「ａｎ」は、１つまたは複数の項目を含むことが意図され、「１つまたは複数の」と交換可能に使用されることがある。さらに、本明細書で使用される場合、「セット」および「グループ」という用語は、１つまたは複数の項目（たとえば、関連する項目、関連しない項目など）を含むことが意図され、「１つまたは複数の」と交換可能に使用されることがある。ただ１つの項目が意図される場合、「１つ（ｏｎｅ）」という用語または同様の言い回しが使用される。また、本明細書で使用される場合、「有する（ｈａｓ）」、「有する（ｈａｖｅ）」、「有する（ｈａｖｉｎｇ）」などの用語は、非限定的な用語であることが意図される。さらに、「に基づく」という句は、別段に明記されていない限り、「に少なくとも部分的に基づく」を意味することが意図される。
以下に本願の出願当初の特許請求の範囲に記載された発明を付記する。
［Ｃ１］
ワイヤレス通信のための方法であって、
ユーザ機器（ＵＥ）によって、および電力節約機構が無効化される第１の時間期間の間に、前記ＵＥ上で実行しているアプリケーションに関連付けられた第１の性能パラメータを決定することと、
前記ＵＥによって、および前記電力節約機構が有効化される第２の時間期間の間に、前記ＵＥ上で実行している前記アプリケーションに関連付けられた第２の性能パラメータを決定することと、
前記ＵＥによって、前記第１の性能パラメータと前記第２の性能パラメータとに少なくとも部分的に基づいて、前記アプリケーションに対して前記電力節約機構を有効化するか無効化するかを決定することと
を備える方法。
［Ｃ２］
前記電力節約機構を有効化するか無効化するかを決定することが、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記ＵＥによって、前記アプリケーションに対して前記電力節約機構を有効化するか無効化するかを決定することに少なくとも部分的に基づいて、前記アプリケーションに対して前記電力節約機構を有効化または無効化することと
を備える、Ｃ１に記載の方法。
［Ｃ３］
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、Ｃ１に記載の方法。
［Ｃ４］
前記第１の性能パラメータを決定すること、または前記第２の性能パラメータを決定することが、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を備える、Ｃ１に記載の方法。
［Ｃ５］
前記第１の性能パラメータまたは前記第２の性能パラメータが、重み値を使用して修正される、Ｃ１に記載の方法。
［Ｃ６］
前記第１の時間期間および前記第２の時間期間が、その間にユーザが前記ＵＥをアクティブに使用中ではない時間期間である、Ｃ１に記載の方法。
［Ｃ７］
前記第１の性能パラメータを決定すること、および前記第２の性能パラメータを決定することが、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を備える、Ｃ１に記載の方法。
［Ｃ８］
前記第１の性能パラメータを決定すること、および前記第２の性能パラメータを決定することが、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を備える、Ｃ１に記載の方法。
［Ｃ９］
前記アプリケーションが第１のアプリケーションであり、
ここにおいて、前記電力節約機構が、第３の時間期間の間に、前記第１のアプリケーションに対して有効化され、
ここにおいて、前記電力節約機構が、前記第３の時間期間の間に、第２のアプリケーションに対して無効化される、Ｃ１に記載の方法。
［Ｃ１０］
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
をさらに備える、Ｃ１に記載の方法。
［Ｃ１１］
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
をさらに備える、Ｃ１に記載の方法。
［Ｃ１２］
前記第１の時間期間および前記第２の時間期間が、その間にユーザが前記ＵＥをアクティブに使用中ではない少なくとも１つの学習時間期間を含み、ここにおいて、前記少なくとも１つの学習時間期間が、マージン時間期間の満了後に開始し、ここにおいて、前記マージン時間期間が、前記ユーザが前記ＵＥをアクティブに使用中ではないことを検出した後、開始し、ここにおいて、前記少なくとも１つの学習時間期間の持続時間が、しきい値を満たし、前記方法が、
前記アプリケーションが前記少なくとも１つの学習時間期間の間に実行中であるか否かを周期的に決定することをさらに備える、Ｃ１に記載の方法。
［Ｃ１３］
前記アプリケーションが、前記第１の時間期間および前記第２の時間期間の間に実行中である、Ｃ１に記載の方法。
［Ｃ１４］
前記第１の性能パラメータを決定すること、または前記第２の性能パラメータを決定することが、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を備える、Ｃ１に記載の方法。
［Ｃ１５］
ワイヤレス通信のためのユーザ機器（ＵＥ）であって、
命令を記憶するように構成されたメモリと、
前記メモリに通信可能に結合された１つまたは複数のプロセッサと、ここにおいて、前記１つまたは複数のプロセッサが、
電力節約機構が無効化される第１の時間期間の間に、前記ＵＥ上で実行しているアプリケーションに関連付けられた第１の性能パラメータを決定することと、
前記電力節約機構が有効化される第２の時間期間の間に、前記ＵＥ上で実行している前記アプリケーションに関連付けられた第２の性能パラメータを決定することと、
前記第１の性能パラメータと前記第２の性能パラメータとに少なくとも部分的に基づいて、前記アプリケーションに対して前記電力節約機構を有効化するか無効化するかを決定することと
を行うために、前記命令を実行するように構成される、
を備えるＵＥ。
［Ｃ１６］
前記１つまたは複数のプロセッサが、前記電力節約機構を有効化するか無効化するかを決定するとき、
前記第１の性能パラメータと前記第２の性能パラメータとを比較することと、
前記第１の性能パラメータと前記第２の性能パラメータとを比較することに少なくとも部分的に基づいて、前記電力節約機構を有効化するか無効化するかを決定することと、
前記アプリケーションに対して前記電力節約機構を有効化するか無効化するかを決定することに少なくとも部分的に基づいて、前記アプリケーションに対して前記電力節約機構を有効化または無効化することと
を行うことになる、Ｃ１５に記載のＵＥ。
［Ｃ１７］
前記第１の性能パラメータまたは前記第２の性能パラメータが、
前記ＵＥがアイドルモードから出る回数、
前記ＵＥが無線リソース制御（ＲＲＣ）接続モードに入る回数、
受信されたメッセージの数、または
前記アプリケーションによってトリガされたＲＲＣ接続の数
のうちの少なくとも１つを備える、Ｃ１５に記載のＵＥ。
［Ｃ１８］
前記１つまたは複数のプロセッサが、前記第１の性能パラメータを決定するか、または前記第２の性能パラメータを決定するとき、
前記第１の時間期間または前記第２の時間期間の持続時間が、しきい値を満たすと決定することと、
前記第１の時間期間または前記第２の時間期間の前記持続時間が、前記しきい値を満たすと決定することに少なくとも部分的に基づいて、前記第１の性能パラメータを決定すること、または前記第２の性能パラメータを決定することと
を行うことになる、Ｃ１５に記載のＵＥ。
［Ｃ１９］
前記第１の性能パラメータまたは前記第２の性能パラメータが、重み値を使用して修正される、Ｃ１５に記載のＵＥ。
［Ｃ２０］
前記第１の時間期間および前記第２の時間期間が、その間にユーザが前記ＵＥをアクティブに使用中ではない時間期間である、Ｃ１５に記載のＵＥ。
［Ｃ２１］
前記１つまたは複数のプロセッサが、前記第１の性能パラメータを決定し、前記第２の性能パラメータを決定するとき、
前記アプリケーションが前記ＵＥ上でインストールまたは更新されたことを検出することと、
前記アプリケーションが前記ＵＥ上でインストールまたは更新されたことを検出することに少なくとも部分的に基づいて、前記第１の性能パラメータを決定すること、および前記第２の性能パラメータを決定することと
を行うことになる、Ｃ１５に記載のＵＥ。
［Ｃ２２］
前記１つまたは複数のプロセッサが、前記第１の性能パラメータを決定し、前記第２の性能パラメータを決定するとき、
前記電力節約機構を有効化するか無効化するかの以前の決定から、しきい値時間期間が経過したと決定することと、
前記以前の決定から、前記しきい値時間期間が経過したと決定することに少なくとも部分的に基づいて、前記第１の性能パラメータを決定すること、および前記第２の性能パラメータを決定することと
を行うことになる、Ｃ１５に記載のＵＥ。
［Ｃ２３］
前記アプリケーションが第１のアプリケーションであり、
ここにおいて、前記電力節約機構が、第３の時間期間の間に、前記第１のアプリケーションに対して有効化され、
ここにおいて、前記電力節約機構が、前記第３の時間期間の間に、第２のアプリケーションに対して無効化される、Ｃ１５に記載のＵＥ。
［Ｃ２４］
前記１つまたは複数のプロセッサが、
第１の時間において、前記アプリケーションに対して前記電力節約機構を無効化することと、
前記アプリケーションに対して前記電力節約機構を無効化した後、前記アプリケーションに対して前記電力節約機構を有効化するか無効化するかを再評価するように決定することと、
前記電力節約機構が無効化される第３の時間期間の間に、前記アプリケーションに関連付けられた第３の性能パラメータを決定することと、
前記電力節約機構が有効化される第４の時間期間の間に、前記アプリケーションに関連付けられた第４の性能パラメータを決定することと、
再評価するように決定することに少なくとも部分的に基づいて、前記第３の性能パラメータと前記第４の性能パラメータとに少なくとも部分的に基づいて、第２の時間において、前記アプリケーションに対して前記電力節約機構を有効化するか無効化するかを決定することと
を行うことになる、Ｃ１５に記載のＵＥ。
［Ｃ２５］
前記１つまたは複数のプロセッサが、
第１の時間において、前記アプリケーションに対して前記電力節約機構を有効化することと、
前記アプリケーションに対して前記電力節約機構を有効化した後、前記アプリケーションに対して前記電力節約機構を有効化するか無効化するかを再評価するように決定することと、
前記電力節約機構が有効化される第３の時間期間の間に、前記アプリケーションに関連付けられた第３の性能パラメータを決定することと、
前記第３の性能パラメータと前記第２の性能パラメータとを比較することと、
再評価するように決定することに少なくとも部分的に基づいて、前記第３の性能パラメータと前記第２の性能パラメータとを比較することに少なくとも部分的に基づいて、第２の時間において、前記アプリケーションに対して前記電力節約機構を有効化するか無効化するかを決定することと
を行うことになる、Ｃ１５に記載のＵＥ。
［Ｃ２６］
前記第１の時間期間および前記第２の時間期間が、その間にユーザが前記ＵＥをアクティブに使用中ではない少なくとも１つの学習時間期間を含み、ここにおいて、前記少なくとも１つの学習時間期間が、マージン時間期間の満了後に開始し、ここにおいて、前記マージン時間期間が、前記ユーザが前記ＵＥをアクティブに使用中ではないことを検出した後、開始し、ここにおいて、前記少なくとも１つの学習時間期間の持続時間が、しきい値を満たし、およびここにおいて、前記１つまたは複数のプロセッサが、
前記アプリケーションが前記少なくとも１つの学習時間期間の間に実行中であるか否かを周期的に決定することを行うことになる、Ｃ１５に記載のＵＥ。
［Ｃ２７］
前記アプリケーションが、前記第１の時間期間および前記第２の時間期間の間に実行中である、Ｃ１５に記載のＵＥ。
［Ｃ２８］
前記１つまたは複数のプロセッサが、前記第１の性能パラメータを決定するか、または前記第２の性能パラメータを決定するとき、
ユーザが前記ＵＥをアクティブに使用中ではないと決定することと、
前記アプリケーションが、しきい値時間量の間に前記ＵＥ上で実行中であったと決定することと、
前記ユーザが前記ＵＥをアクティブに使用中ではないと決定すること、および、前記アプリケーションが前記しきい値時間量の間に前記ＵＥ上で実行中であったと決定することに少なくとも部分的に基づいて、前記第１の性能パラメータまたは前記第２の性能パラメータに関係する情報について、前記ＵＥを監視することと、
前記第１の性能パラメータまたは前記第２の性能パラメータに関係する前記情報について、前記ＵＥを監視することに少なくとも部分的に基づいて、前記第１の性能パラメータを決定すること、または前記第２の性能パラメータを決定することと、
前記ユーザが前記ＵＥをアクティブに使用中であること、または前記アプリケーションが前記ＵＥ上で実行することを停止したことを決定することと、
前記ユーザが前記ＵＥをアクティブに使用中であること、または前記アプリケーションが前記ＵＥ上で実行することを停止したことを決定することに少なくとも部分的に基づいて、前記第１の性能パラメータまたは前記第２の性能パラメータに関係する前記情報について、前記ＵＥの前記監視することを停止することと
を行うことになる、Ｃ１５に記載のＵＥ。
［Ｃ２９］
ワイヤレス通信のためのコンピュータ実行可能コードを記憶するコンピュータ可読媒体であって、
電力節約機構が無効化される第１の時間期間の間に、前記ＵＥ上で実行しているアプリケーションに関連付けられた第１の性能パラメータを決定するためのコードと、
前記電力節約機構が有効化される第２の時間期間の間に、前記ＵＥ上で実行している前記アプリケーションに関連付けられた第２の性能パラメータを決定するためのコードと、
前記第１の性能パラメータと前記第２の性能パラメータとに少なくとも部分的に基づいて、前記アプリケーションに対して前記電力節約機構を有効化するか無効化するかを決定するためのコードと
を備える、コンピュータ可読媒体。
［Ｃ３０］
ワイヤレス通信のための装置であって、
電力節約機構が無効化される第１の時間期間の間に、ユーザ機器（ＵＥ）上で実行しているアプリケーションに関連付けられた第１の性能パラメータを決定するための手段と、
前記電力節約機構が有効化される第２の時間期間の間に、前記ＵＥ上で実行している前記アプリケーションに関連付けられた第２の性能パラメータを決定するための手段と、
前記第１の性能パラメータと前記第２の性能パラメータとに少なくとも部分的に基づいて、前記アプリケーションに対して前記電力節約機構を有効化するか無効化するかを決定するための手段と
を備える、装置。
【国際調査報告】
2018520603.tif 000023
2018520603.tif 000024
2018520603.tif 000025